(57)【要約】【課題】表示装置に表示されているファイルデータの内容の変更を許可または禁止して、情報処理装置にファイルデータを表示する。【解決手段】本発明に係る表示ステムは、ファイル識別子格納部と、ファイルデータに対して許可されている閲覧編集情報を格納する閲覧編集情報格納部と、第１表示部と、ファイル識別子および閲覧編集情報を送信する第１通信部とを有する表示装置と、ファイル識別子および閲覧編集情報を受信する第２通信部と、ファイルデータ取得部と、編集指示を取得する閲覧編集指示取得部と、閲覧編集情報を参照して、編集が許可されている場合には、閲覧編集指示に基づいてファイルデータの内容を変更することを許可するファイル閲覧変更許可部と、閲覧編集情報を参照して、ファイルデータに対する編集が許可されていない場合には、ファイルデータの内容を変更することを禁止するファイル閲覧変更禁止部とを有する情報処理装置とを備える。【選択図】図２
2008084292.tif 000002
【特許請求の範囲】
【請求項１】
ファイルデータを表示する表示装置と、
前記表示装置が表示するファイルデータをユーザに閲覧または編集させる情報処理装置と
を備える表示システムであって、
前記表示装置は、
ファイルデータを識別するファイル識別子を格納するファイル識別子格納部と、
前記ファイル識別子格納部が格納しているファイル識別子で識別されるファイルデータに対して許可されている閲覧内容または編集内容を示す閲覧編集情報を格納する閲覧編集情報格納部と、
前記ファイル識別子格納部が格納しているファイル識別子で識別されるファイルデータを表示する第１表示部と、
前記ファイル識別子格納部が格納しているファイル識別子、および前記閲覧編集情報格納部が格納している閲覧編集情報を前記情報処理装置に送信する第１通信部と
を有し、
前記情報処理装置は、
前記ファイル識別子格納部が格納しているファイル識別子、および前記閲覧編集情報格納部が格納している閲覧編集情報を受信する第２通信部と、
前記第２通信部が受信したファイル識別子で識別されるファイルデータを取得するファイルデータ取得部と、
ユーザからのファイルデータへの閲覧指示または編集指示を取得する閲覧編集指示取得部と、
前記第２通信部が受信した閲覧編集情報を参照して、前記ファイルデータ取得部が取得したファイルデータに対する閲覧または編集が許可されている場合には、前記閲覧編集指示取得部が取得した閲覧指示または編集指示に基づいてファイルデータの内容を閲覧または変更することを許可するファイル閲覧変更許可部と、
前記第２通信部が受信した閲覧編集情報を参照して、前記ファイルデータ取得部が取得したファイルデータに対する閲覧または編集が許可されていない場合には、ファイルデータの内容を閲覧または変更することを禁止するファイル閲覧変更禁止部と
を有する表示システム。
【請求項２】
前記閲覧編集情報格納部は、ファイルデータの内容を変更することができるアプリケーションソフトである編集可能ソフトの種類、またはファイルデータの内容を変更することができないアプリケーションソフトである編集不可ソフトの種類を閲覧編集情報として格納し、
前記第１通信部は、前記閲覧編集情報格納部が格納している編集可能ソフトの種類、または編集不可ソフトの種類を閲覧編集情報として送信し、
前記第２通信部は、前記閲覧編集情報格納部が格納している編集可能ソフトの種類、または編集不可ソフトの種類を閲覧編集情報として受信し、
前記ファイル閲覧変更許可部は、前記第２通信部が受信した種類の編集可能ソフトを用いて、前記ファイルデータ取得部が取得したファイルデータを開くことによって、ファイルデータの内容を変更することを許可し、
前記ファイル閲覧変更禁止部は、前記第２通信部が受信した種類の編集不可ソフトを用いて、前記ファイルデータ取得部が取得したファイルデータを開くことによって、ファイルデータの内容を変更することを禁止する請求項１に記載の表示システム。
【請求項３】
前記表示装置は、
ユーザを識別するユーザ識別情報を格納するユーザ識別情報格納部
をさらに有し、
前記情報処理装置は、
ユーザ識別情報をユーザに入力させて取得するユーザ識別情報取得部と、
前記ユーザ識別情報取得部が取得したユーザ識別情報と、前記ユーザ識別情報格納部が格納しているユーザ識別情報とが同一か否かを判断するユーザ判断部と
をさらに有し、
前記第１通信部は、前記ユーザ識別情報格納部が格納しているユーザ識別情報をさらに送信し、
前記第２通信部は、前記ユーザ識別情報格納部が格納しているユーザ識別情報をさらに受信し、
前記ユーザ判断部は、前記ユーザ識別情報が取得したユーザ識別情報と、前記第２通信部が受信したユーザ識別情報とが同一か否かを判断し、
前記ファイル閲覧変更許可部は、前記ユーザ判断部においてユーザ識別情報が同一と判断された場合に、前記第２通信部が受信した種類の編集可能ソフトを用いて、前記ファイルデータ取得部が取得したファイルデータを開くことによって、ファイルデータの内容を変更することを許可し、
前記ファイル閲覧変更禁止部は、前記ユーザ判断部においてユーザ識別情報が同一でないと判断された場合に、前記第２通信部が受信した種類の編集不可ソフトを用いて、前記ファイルデータ取得部が取得したファイルデータを開くことによって、ファイルデータの内容を変更することを禁止する請求項２に記載の表示システム。
【請求項４】
前記ユーザ識別情報格納部は、複数のユーザのそれぞれを識別する複数のユーザ識別情報を格納し、
前記閲覧編集情報格納部は、前記ユーザ識別情報格納部が格納している複数のユーザ識別情報のそれぞれに対応づけて、ファイルデータの内容を変更することができるアプリケーションソフトである編集可能ソフトの種類、またはファイルデータの内容を変更することができないアプリケーションソフトである編集不可ソフトの種類を閲覧編集情報として格納し、
前記第１通信部は、前記ユーザ識別情報格納部が格納している複数のユーザ識別情報、および前記閲覧編集情報格納部がユーザ識別情報に対応づけて格納している編集可能ソフトの種類、または編集不可ソフトの種類を閲覧編集情報として送信し、
前記第２通信部は、前記ユーザ識別情報格納部が格納している複数のユーザ識別情報、および前記閲覧編集情報格納部がユーザ識別情報に対応づけて格納している編集可能ソフトの種類、または編集不可ソフトの種類を閲覧編集情報として受信し、
前記ユーザ判断部は、前記ユーザ識別情報取得部が取得したユーザ識別情報と、前記第２通信部が受信した複数のユーザ識別情報のいずれと同一か否かを判断し、
前記ファイル閲覧変更許可部は、前記ユーザ識別情報取得部が取得したユーザ識別情報と同一と判断されたユーザ識別情報に対応づけられている前記第２通信部が受信した種類の編集可能ソフトを用いて、前記ファイルデータ取得部が取得したファイルデータを開くことによって、ファイルデータの内容を変更することを許可する請求項３に記載の表示システム。
【請求項５】
前記閲覧編集情報格納部は、前記ファイル識別子格納部が格納しているファイル識別子で識別されるファイルデータに対して施すことが許可されている編集可能内容を閲覧編集情報として格納し、
前記第１通信部は、前記閲覧編集情報格納部が格納している編集可能内容を閲覧編集情報として送信し、
前記第２通信部は、前記閲覧編集情報格納部が格納している編集可能内容を閲覧編集情報として受信し、
前記ファイル閲覧変更許可部は、前記閲覧編集指示取得部が取得した編集指示のうち、前記第２通信部が受信した編集可能内容に含まれる編集指示に基づくファイルデータの内容の変更を許可し、
前記ファイル閲覧変更禁止部は、前記閲覧編集指示取得部が取得した編集指示のうち、前記第２通信部が受信した編集可能内容に含まれない編集指示に基づくファイルデータの内容の変更を禁止する請求項１に記載の表示システム。
【請求項６】
前記表示装置は、
ユーザを識別するユーザ識別情報を格納するユーザ識別情報格納部
をさらに有し、
前記情報処理装置は、
ユーザ識別情報をユーザに入力させて取得するユーザ識別情報取得部と、
前記ユーザ識別情報取得部が取得したユーザ識別情報と、前記ユーザ識別情報格納部が格納しているユーザ識別情報とが同一か否かを判断するユーザ判断部と
をさらに有し、
前記第１通信部は、前記ユーザ識別情報格納部が格納しているユーザ識別情報、および前記閲覧編集情報格納部が格納している編集可能内容を送信し、
前記第２通信部は、前記ユーザ識別情報格納部が格納しているユーザ識別情報、および前記閲覧編集情報格納部が格納している編集可能内容を受信し、
前記ユーザ判断部は、前記ユーザ識別情報が取得したユーザ識別情報と、前記第２通信部が受信したユーザ識別情報とが同一か否かを判断し、
前記ファイル閲覧変更許可部は、前記ユーザ判断部においてユーザ識別情報が同一と判断された場合に、前記閲覧編集指示取得部が取得した編集指示のうち、前記第２通信部が受信した編集可能内容に含まれるユーザに許可されている編集指示に基づいてファイルデータの内容を変更することを許可し、
前記ファイル閲覧変更禁止部は、前記ユーザ判断部においてユーザ識別情報が同一でないと判断された場合に、ファイルデータの内容を変更することを禁止する請求項５に記載の表示システム。
【請求項７】
前記ユーザ識別情報格納部は、複数のユーザのそれぞれを識別する複数のユーザ識別情報を格納し、
前記閲覧編集情報格納部は、前記ユーザ識別情報格納部が格納している複数のユーザ識別情報のそれぞれに対応づけて、前記ファイル識別子格納部が格納しているファイル識別子で識別されるファイルデータに対して許可されている編集可能内容を閲覧編集情報として格納し、
前記第１通信部は、前記ユーザ識別情報格納部が格納している複数のユーザ識別情報、および前記閲覧編集情報格納部がユーザ識別情報に対応づけて格納している編集可能内容を送信し、
前記第２通信部は、前記ユーザ識別情報格納部が格納している複数のユーザ識別情報、および前記閲覧編集情報格納部がユーザ識別情報に対応づけて格納している編集可能内容を受信し、
前記ユーザ判断部は、前記ユーザ識別情報取得部が取得したユーザ識別情報と、前記第２通信部が受信した複数のユーザ識別情報のいずれと同一か否かを判断し、
前記ファイル閲覧変更許可部は、前記ユーザ判断部においてユーザ識別情報が同一と判断された場合に、前記閲覧編集指示取得部が取得した編集指示のうち、前記第２通信部が受信した当該ユーザ識別情報に対応づけられている編集可能内容に含まれるユーザに許可されている編集指示に基づいてファイルデータの内容を変更することを許可する請求項６に記載の表示システム。
【請求項８】
前記情報処理装置は、
前記ファイル閲覧変更許可部がファイルデータの内容を変更することを許可した場合に、前記閲覧編集指示取得部が取得した編集指示に基づいてファイルデータの内容を変更する閲覧編集制御部と、
前記閲覧編集制御部においてファイルデータの内容が変更された場合に、変更後のファイルデータの内容を前記第２通信部から前記第１通信部へ送信させる第２通信制御部と
をさらに有し、
前記表示装置は、
前記第１通信部が受信した変更後のファイルデータの内容に、前記第１表示部が表示しているファイルデータを更新する第１表示制御部
をさらに有する請求項１に記載の表示システム。
【請求項９】
前記閲覧編集情報格納部は、前記ファイル識別子格納部が格納しているファイル識別子で識別されるファイルデータのうち、ファイルデータの内容の変更が許可されている部分である編集可能部分を閲覧編集情報として格納し、
前記第１通信部は、前記閲覧編集情報格納部が格納している編集可能部分を閲覧編集情報として送信し、
前記第２通信部は、前記閲覧編集情報格納部が格納している編集可能部分を閲覧編集情報として受信し、
前記ファイル閲覧変更許可部は、前記閲覧編集指示取得部が取得した編集指示に基づいて前記第２通信部が受信した編集可能部分のファイルデータの内容の変更を許可し、
前記ファイル閲覧変更禁止部は、前記閲覧編集指示取得部が取得した編集指示に基づいて前記第２通信部が受信した編集可能部分以外の部分のファイルデータの内容の変更を禁止する請求項１に記載の表示システム。
【請求項１０】
予め定められた範囲に磁界を発生して前記表示装置に電力を給電する給電装置
をさらに備え、
前記表示装置は、
前記給電装置が発生した磁界から電力を受電する受電部
をさらに有し、
前記第１通信部は、前記予め定められた範囲内に前記表示装置が配置されて、前記受電部が電力を受電した場合に、受電した電力を用いて、前記ファイル識別子格納部が格納しているファイル識別子、および前記閲覧編集情報格納部が格納している閲覧編集情報を前記情報処理装置に送信する請求項１に記載の表示システム。
【請求項１１】
前記閲覧編集情報格納部は、前記ファイル識別子格納部が格納しているファイル識別子で識別されるファイルデータのうち、ファイルデータの内容の閲覧が許可されている部分である閲覧可能部分を閲覧編集情報として格納し、
前記第１通信部は、前記閲覧編集情報格納部が格納している閲覧可能部分を閲覧編集情報として送信し、
前記第２通信部は、前記閲覧編集情報格納部が格納している閲覧可能部分を閲覧編集情報として受信し、
前記ファイル閲覧変更許可部は、前記閲覧編集指示取得部が取得した閲覧指示に基づいて前記第２通信部が受信した閲覧可能部分のファイルデータの内容の閲覧を許可し、
前記ファイル閲覧変更禁止部は、前記閲覧編集指示取得部が取得した閲覧指示に基づいて前記第２通信部が受信した閲覧可能部分以外の部分のファイルデータの内容の閲覧を禁止する請求項１に記載の表示システム。
【請求項１２】
前記情報処理装置は、
前記ファイル閲覧変更許可部が閲覧を許可した閲覧可能部分をファイルデータから抽出する閲覧編集制御部
をさらに備え、
前記第２通信部は、前記閲覧編集制御部が抽出した閲覧可能部分を前記表示装置に送信して、前記第１表示部に表示させる請求項１１に記載の表示システム。
【請求項１３】
前記閲覧編集情報格納部は、前記ファイル識別子格納部が格納しているファイル識別子で識別されるファイルデータの閲覧を許可する回数である閲覧可能回数を閲覧編集情報として格納し、
前記第１通信部は、前記閲覧編集情報格納部が格納している閲覧可能回数を閲覧編集情報として送信し、
前記第２通信部は、前記閲覧編集情報格納部が格納している閲覧可能回数を閲覧編集情報として受信し、
前記ファイル閲覧変更許可部または前記ファイル閲覧変更禁止部は、前記第２通信部が受信した閲覧可能回数に応じて、ファイルデータの内容の閲覧を許可または禁止する請求項１に記載の表示システム。
【請求項１４】
前記閲覧編集情報格納部は、前記ファイル識別子格納部が格納しているファイル識別子で識別されるファイルデータが閲覧できる期限である閲覧可能期限を閲覧編集情報として格納し、
前記第１通信部は、前記閲覧編集情報格納部が格納している閲覧可能期限を閲覧編集情報として送信し、
前記第２通信部は、前記閲覧編集情報格納部が格納している閲覧可能期限を閲覧編集情報として受信し、
前記ファイル閲覧変更許可部または前記ファイル閲覧変更禁止部は、前記第２通信部が受信した閲覧可能期限に基づいて、ファイルデータの内容の閲覧を許可または禁止する請求項１に記載の表示システム。
【請求項１５】
前記表示装置は、
前記表示装置を識別する装置識別子を格納する装置識別子格納部
をさらに有し、
前記情報処理装置は、
前記表示装置を識別する装置識別子に対応づけて、前記表示装置の表示能力を格納する表示能力格納部
をさらに有し、
前記第１通信部は、前記装置識別子格納部が格納している装置識別子を前記情報処理装置にさらに送信し、
前記第２通信部は、前記装置識別子格納部が格納している装置識別子をさらに受信し、
前記ファイル閲覧変更許可部は、前記第２通信部が受信した装置識別子に対応づけて前記表示能力格納部が格納している表示能力の範囲内で、ファイルデータの内容を変更することを許可する請求項１に記載の表示システム。
【請求項１６】
ファイルデータを表示装置に表示する表示装置と、前記表示装置に表示されるファイルデータをユーザに閲覧または編集させる情報処理装置とを備える表示システムにおける表示制御方法であって、
ファイルデータを識別するファイル識別子を格納するファイル識別子格納段階と、
前記ファイル識別子格納段階において格納されたファイル識別子で識別されるファイルデータに対して許可されている閲覧内容または編集内容を示す閲覧編集情報を格納する閲覧編集情報格納段階と、
前記ファイル識別子格納段階において格納されたファイル識別子で識別されるファイルデータを前記表示装置に表示する表示段階と、
前記ファイル識別子格納段階において格納されたファイル識別子、および前記閲覧編集情報格納段階において格納された閲覧編集情報を前記情報処理装置に送信する第１通信段階と、
前記ファイル識別子格納段階において格納されたファイル識別子、および前記閲覧編集情報格納段階において格納された閲覧編集情報を受信する第２通信段階と、
前記第２通信段階において受信されたファイル識別子で識別されるファイルデータを取得するファイルデータ取得段階と、
ユーザからのファイルデータへの閲覧指示または編集指示を取得する閲覧編集指示取得段階と、
前記第２通信段階において受信された閲覧編集情報を参照して、前記ファイルデータ取得段階において取得されたファイルデータに対する閲覧または編集が許可されている場合には、前記閲覧編集指示取得段階において取得された閲覧指示または編集指示に基づいてファイルデータの内容を閲覧または変更することを許可するファイル閲覧変更許可段階と、
前記第２通信段階において受信された閲覧編集情報を参照して、前記ファイルデータ取得段階において取得されたファイルデータに対する閲覧または編集が許可されていない場合には、ファイルデータの内容を閲覧または変更することを禁止するファイル閲覧変更禁止段階と
を有する表示制御方法。
【請求項１７】
ファイルデータを表示する表示装置と、前記表示装置が表示するファイルデータをユーザに閲覧または編集させる情報処理装置とを備える表示システム用の表示プログラムであって、
前記表示装置を、
ファイルデータを識別するファイル識別子を格納するファイル識別子格納部、
前記ファイル識別子格納部が格納しているファイル識別子で識別されるファイルデータに対して許可されている閲覧内容または編集内容を示す閲覧編集情報を格納する閲覧編集情報格納部、
前記ファイル識別子格納部が格納しているファイル識別子で識別されるファイルデータを表示する第１表示部、
前記ファイル識別子格納部が格納しているファイル識別子、および前記閲覧編集情報格納部が格納している閲覧編集情報を前記情報処理装置に送信する第１通信部
として機能させ、
前記情報処理装置を、
前記ファイル識別子格納部が格納しているファイル識別子、および前記閲覧編集情報格納部が格納している閲覧編集情報を受信する第２通信部、
前記第２通信部が受信したファイル識別子で識別されるファイルデータを取得するファイルデータ取得部、
ユーザからのファイルデータへの閲覧指示または編集指示を取得する閲覧編集指示取得部、
前記第２通信部が受信した閲覧編集情報を参照して、前記ファイルデータ取得部が取得したファイルデータに対する閲覧または編集が許可されている場合には、前記閲覧編集指示取得部が取得した閲覧指示または編集指示に基づいてファイルデータの内容を閲覧または変更することを許可するファイル閲覧変更許可部、
前記第２通信部が受信した閲覧編集情報を参照して、前記ファイルデータ取得部が取得したファイルデータに対する閲覧または編集が許可されていない場合には、ファイルデータの内容を閲覧または変更することを禁止するファイル閲覧変更禁止部
として機能させる表示プログラム。
【請求項１８】
外部の情報処理装置で閲覧または編集されるファイルデータを表示する表示装置であって、
ファイルデータを識別するファイル識別子を格納するファイル識別子格納部と、
前記ファイル識別子格納部が格納しているファイル識別子を前記情報処理装置に送信することにより、前記ファイル識別子格納部が格納しているファイル識別子で識別されるファイルデータを要求して前記情報処理装置から取得するファイルデータ通信部と、
前記ファイルデータ通信部が取得したファイルデータを表示する表示部と、
前記ファイル識別子格納部が格納しているファイル識別子で識別されるファイルデータに対する前記情報処理装置による閲覧または編集が許可されている編集内容を示す閲覧編集情報を格納する閲覧編集情報格納部と、
前記閲覧編集情報格納部が格納している閲覧編集情報を前記情報処理装置に送信することにより、前記ファイル識別子格納部が格納しているファイル識別子で識別されるファイルデータに対する前記情報処理装置による閲覧または編集を制限する閲覧編集情報通信部と
を備える表示装置。
【請求項１９】
外部の情報処理装置で閲覧または編集されるファイルデータを表示する表示方法であって、
ファイルデータを識別するファイル識別子をファイル識別子格納部に格納するファイル識別子格納段階と、
前記ファイル識別子格納部が格納しているファイル識別子を前記情報処理装置に送信することにより、前記ファイル識別子格納部が格納しているファイル識別子で識別されるファイルデータを要求して前記情報処理装置から取得するファイルデータ通信段階と、
前記ファイルデータ通信段階において取得されたファイルデータを表示部に表示する表示段階と、
前記ファイル識別子格納部が格納しているファイル識別子で識別されるファイルデータに対する前記情報処理装置による閲覧または編集が許可されている編集内容を示す閲覧編集情報を閲覧編集情報格納部に格納する閲覧編集情報格納段階と、
前記閲覧編集情報格納部が格納している閲覧編集情報を前記情報処理装置に送信することにより、前記ファイル識別子格納部が格納しているファイル識別子で識別されるファイルデータに対する前記情報処理装置による閲覧または編集を制限する閲覧編集情報通信段階と
を備える表示方法。
【請求項２０】
外部の情報処理装置で閲覧または編集されるファイルデータを表示する表示装置用の表示プログラムであって、前記表示装置を、
ファイルデータを識別するファイル識別子を格納するファイル識別子格納部、
前記ファイル識別子格納部が格納しているファイル識別子を前記情報処理装置に送信することにより、前記ファイル識別子格納部が格納しているファイル識別子で識別されるファイルデータを要求して前記情報処理装置から取得するファイルデータ通信部、
前記ファイルデータ通信部が取得したファイルデータを表示する表示部、
前記ファイル識別子格納部が格納しているファイル識別子で識別されるファイルデータに対する前記情報処理装置による閲覧または編集が許可されている編集内容を示す閲覧編集情報を格納する閲覧編集情報格納部、
前記閲覧編集情報格納部が格納している閲覧編集情報を前記情報処理装置に送信することにより、前記ファイル識別子格納部が格納しているファイル識別子で識別されるファイルデータに対する前記情報処理装置による閲覧または編集を制限する閲覧編集情報通信部
として機能させる表示プログラム。
【請求項２１】
ファイルデータを表示する表示装置と、
前記表示装置が表示するファイルデータをユーザに閲覧または編集させる情報処理装置と、
ファイルデータを識別するファイル識別子に対応づけて、当該ファイルデータに対して許可されている閲覧内容または編集内容を示す閲覧編集情報を格納する閲覧編集情報格納部と
を備える表示システムであって、
前記表示装置は、
ファイル識別子を格納するファイル識別子格納部と、
前記ファイル識別子格納部が格納しているファイル識別子で識別されるファイルデータを表示する第１表示部と、
前記ファイル識別子格納部が格納しているファイル識別子を前記情報処理装置に送信する第１通信部と
を有し、
前記情報処理装置は、
前記ファイル識別子格納部が格納しているファイル識別子を受信する第２通信部と、
前記第２通信部が受信したファイル識別子で識別されるファイルデータを取得するファイルデータ取得部と、
ユーザからのファイルデータへの閲覧指示または編集指示を取得する閲覧編集指示取得部と、
前記閲覧編集情報格納部が格納している閲覧編集情報を参照して、前記ファイルデータ取得部が取得したファイルデータに対する閲覧または編集が許可されている場合には、前記閲覧編集指示取得部が取得した閲覧指示または編集指示に基づいてファイルデータの内容を閲覧または変更することを許可するファイル閲覧変更許可部と、
前記第２通信部が受信した閲覧編集情報を参照して、前記ファイルデータ取得部が取得したファイルデータに対する閲覧または編集が許可されていない場合には、ファイルデータの内容を閲覧または変更することを禁止するファイル閲覧変更禁止部と
を有する表示システム。
【請求項２２】
ファイルデータを表示する表示装置と、前記表示装置が表示するファイルデータをユーザに閲覧または編集させる情報処理装置と、ファイルデータを識別するファイル識別子に対応づけて、当該ファイルデータに対して許可されている閲覧内容または編集内容を示す閲覧編集情報を格納する閲覧編集情報格納部とを備える表示システム用の表示プログラムであって、
前記表示装置を、
ファイル識別子を格納するファイル識別子格納部、
前記ファイル識別子格納部が格納しているファイル識別子で識別されるファイルデータを表示する第１表示部、
前記ファイル識別子格納部が格納しているファイル識別子を前記情報処理装置に送信する第１通信部
として機能させ、
前記情報処理装置を、
前記ファイル識別子格納部が格納しているファイル識別子を受信する第２通信部、
前記第２通信部が受信したファイル識別子で識別されるファイルデータを取得するファイルデータ取得部、
ユーザからのファイルデータへの閲覧指示または編集指示を取得する閲覧編集指示取得部、
前記閲覧編集情報格納部が格納している閲覧編集情報を参照して、前記ファイルデータ取得部が取得したファイルデータに対する閲覧または編集が許可されている場合には、前記閲覧編集指示取得部が取得した閲覧指示または編集指示に基づいてファイルデータの内容を閲覧または変更することを許可するファイル閲覧変更許可部、
前記第２通信部が受信した閲覧編集情報を参照して、前記ファイルデータ取得部が取得したファイルデータに対する閲覧または編集が許可されていない場合には、ファイルデータの内容を閲覧または変更することを禁止するファイル閲覧変更禁止部
として機能させる表示プログラム。
【発明の詳細な説明】
【技術分野】
【０００１】
本発明は、表示システム、表示方法、表示プログラム、表示制御方法、および表示装置に関する。特に、本発明は、ファイルデータを表示する表示装置と表示装置が表示するファイルデータをユーザに編集させる情報処理装置とを備える表示システム、表示方法、表示プログラム、表示制御方法、および表示装置に関する。
【背景技術】
【０００２】
電子ペーパを識別する媒体ＩＤを格納するタグを備える電子ペーパと、電子ペーパにコンテンツを配信する配信管理装置とを備えるコンテンツ配信システムが提案されている（例えば、特許文献１参照。）。具体的には、配信管理装置は、複数の電子ペーパのタグに格納されている媒体ＩＤを読み取って、複数の電子ペーパに配信するコンテンツを電子ペーパごとに決定する。そして、配信管理装置は、決定したコンテンツを各電子ペーパに送信して、各電子ペーパはそれぞれ受信したコンテンツを表示する。
【０００３】
また、表示しているドキュメントを識別するドキュメントＩＤを格納した記憶部を備える電子ペーパからドキュメントＩＤを読み取って、所定の出力装置（プリンタ、および情報端末等）にドキュメントＩＤに対応するドキュメントデータを出力させる、ドキュメント処理システムが提案されている（例えば、特許文献２参照。）。さらに、複数の電子ペーパの中から無線で識別した所定の電子ペーパに、ＰＣ等に接続されている転送装置から表示情報を転送する電子ペーパ表示システムについて提案されている（例えば、特許文献３参照。）。
【特許文献１】特開２００６−４１８０１号公報
【特許文献２】特開２００５−３２７１５９号公報
【特許文献３】特開２００５−３１６６７２号公報
【発明の開示】
【発明が解決しようとする課題】
【０００４】
しかしながら、特許文献１に記載の発明においては、電子ペーパに表示されているコンテンツ等のファイルデータの編集をユーザが所望しても、配信管理装置はコンテンツを電子ペーパに配信するだけなので、ユーザは、ファイルデータの編集をすることができない。また、特許文献２に記載の発明においては、電子ペーパに表示されているファイルデータの識別子を受け取って、当該識別子で識別されるファイルデータをプリンタ等に出力できるものの、ファイルデータの編集については何ら制限が施されていないので、ファイルデータの機密管理を実現できない場合がある。また、特許文献３に記載の発明においては、電子ペーパに所定の情報を表示できるものの、電子ペーパに表示させる情報に編集を施すことができない。
【０００５】
そこで本発明は、上記課題を解決することができる表示システム、表示方法、表示プログラム、表示制御方法、および表示装置を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、ファイルデータを表示する表示装置と、表示装置が表示するファイルデータをユーザに閲覧または編集させる情報処理装置とを備える表示システムであって、表示装置は、ファイルデータを識別するファイル識別子を格納するファイル識別子格納部と、ファイル識別子格納部が格納しているファイル識別子で識別されるファイルデータに対して許可されている閲覧内容または編集内容を示す閲覧編集情報を格納する閲覧編集情報格納部と、ファイル識別子格納部が格納しているファイル識別子で識別されるファイルデータを表示する第１表示部と、ファイル識別子格納部が格納しているファイル識別子、および閲覧編集情報格納部が格納している閲覧編集情報を情報処理装置に送信する第１通信部とを有し、情報処理装置は、ファイル識別子格納部が格納しているファイル識別子、および閲覧編集情報格納部が格納している閲覧編集情報を受信する第２通信部と、第２通信部が受信したファイル識別子で識別されるファイルデータを取得するファイルデータ取得部と、ユーザからのファイルデータへの閲覧指示または編集指示を取得する閲覧編集指示取得部と、第２通信部が受信した閲覧編集情報を参照して、ファイルデータ取得部が取得したファイルデータに対する閲覧または編集が許可されている場合には、閲覧編集指示取得部が取得した閲覧指示または編集指示に基づいてファイルデータの内容を閲覧または変更することを許可するファイル閲覧変更許可部と、第２通信部が受信した閲覧編集情報を参照して、ファイルデータ取得部が取得したファイルデータに対する閲覧または編集が許可されていない場合には、ファイルデータの内容を閲覧または変更することを禁止するファイル閲覧変更禁止部とを有する。
【０００７】
また、閲覧編集情報格納部は、ファイルデータの内容を変更することができるアプリケーションソフトである編集可能ソフトの種類、またはファイルデータの内容を変更することができないアプリケーションソフトである編集不可ソフトの種類を閲覧編集情報として格納し、第１通信部は、閲覧編集情報格納部が格納している編集可能ソフトの種類、または編集不可ソフトの種類を閲覧編集情報として送信し、第２通信部は、閲覧編集情報格納部が格納している編集可能ソフトの種類、または編集不可ソフトの種類を閲覧編集情報として受信し、ファイル閲覧変更許可部は、第２通信部が受信した種類の編集可能ソフトを用いて、ファイルデータ取得部が取得したファイルデータを開くことによって、ファイルデータの内容を変更することを許可し、ファイル閲覧変更禁止部は、第２通信部が受信した種類の編集不可ソフトを用いて、ファイルデータ取得部が取得したファイルデータを開くことによって、ファイルデータの内容を変更することを禁止してもよい。
【０００８】
また、表示装置は、ユーザを識別するユーザ識別情報を格納するユーザ識別情報格納部をさらに有し、情報処理装置は、ユーザ識別情報をユーザに入力させて取得するユーザ識別情報取得部と、ユーザ識別情報取得部が取得したユーザ識別情報と、ユーザ識別情報格納部が格納しているユーザ識別情報とが同一か否かを判断するユーザ判断部とをさらに有し、第１通信部は、ユーザ識別情報格納部が格納しているユーザ識別情報をさらに送信し、第２通信部は、ユーザ識別情報格納部が格納しているユーザ識別情報をさらに受信し、ユーザ判断部は、ユーザ識別情報が取得したユーザ識別情報と、第２通信部が受信したユーザ識別情報とが同一か否かを判断し、ファイル閲覧変更許可部は、ユーザ判断部においてユーザ識別情報が同一と判断された場合に、第２通信部が受信した種類の編集可能ソフトを用いて、ファイルデータ取得部が取得したファイルデータを開くことによって、ファイルデータの内容を変更することを許可し、ファイル閲覧変更禁止部は、ユーザ判断部においてユーザ識別情報が同一でないと判断された場合に、第２通信部が受信した種類の編集不可ソフトを用いて、ファイルデータ取得部が取得したファイルデータを開くことによって、ファイルデータの内容を変更することを禁止してもよい。
【０００９】
ユーザ識別情報格納部は、複数のユーザのそれぞれを識別する複数のユーザ識別情報を格納し、閲覧編集情報格納部は、ユーザ識別情報格納部が格納している複数のユーザ識別情報のそれぞれに対応づけて、ファイルデータの内容を変更することができるアプリケーションソフトである編集可能ソフトの種類、またはファイルデータの内容を変更することができないアプリケーションソフトである編集不可ソフトの種類を閲覧編集情報として格納し、第１通信部は、ユーザ識別情報格納部が格納している複数のユーザ識別情報、および閲覧編集情報格納部がユーザ識別情報に対応づけて格納している編集可能ソフトの種類、または編集不可ソフトの種類を閲覧編集情報として送信し、第２通信部は、ユーザ識別情報格納部が格納している複数のユーザ識別情報、および閲覧編集情報格納部がユーザ識別情報に対応づけて格納している編集可能ソフトの種類、または編集不可ソフトの種類を閲覧編集情報として受信し、ユーザ判断部は、ユーザ識別情報取得部が取得したユーザ識別情報と、第２通信部が受信した複数のユーザ識別情報のいずれと同一か否かを判断し、ファイル閲覧変更許可部は、ユーザ識別情報取得部が取得したユーザ識別情報と同一と判断されたユーザ識別情報に対応づけられている第２通信部が受信した種類の編集可能ソフトを用いて、ファイルデータ取得部が取得したファイルデータを開くことによって、ファイルデータの内容を変更することを許可してもよい。
【００１０】
また、閲覧編集情報格納部は、ファイル識別子格納部が格納しているファイル識別子で識別されるファイルデータに対して施すことが許可されている編集可能内容を閲覧編集情報として格納し、第１通信部は、閲覧編集情報格納部が格納している編集可能内容を閲覧編集情報として送信し、第２通信部は、閲覧編集情報格納部が格納している編集可能内容を閲覧編集情報として受信し、ファイル閲覧変更許可部は、閲覧編集指示取得部が取得した編集指示のうち、第２通信部が受信した編集可能内容に含まれる編集指示に基づくファイルデータの内容の変更を許可し、ファイル閲覧変更禁止部は、閲覧編集指示取得部が取得した編集指示のうち、第２通信部が受信した編集可能内容に含まれない編集指示に基づくファイルデータの内容の変更を禁止してもよい。
【００１１】
また、表示装置は、ユーザを識別するユーザ識別情報を格納するユーザ識別情報格納部をさらに有し、情報処理装置は、ユーザ識別情報をユーザに入力させて取得するユーザ識別情報取得部と、ユーザ識別情報取得部が取得したユーザ識別情報と、ユーザ識別情報格納部が格納しているユーザ識別情報とが同一か否かを判断するユーザ判断部とをさらに有し、第１通信部は、ユーザ識別情報格納部が格納しているユーザ識別情報、および閲覧編集情報格納部が格納している編集可能内容を送信し、第２通信部は、ユーザ識別情報格納部が格納しているユーザ識別情報、および閲覧編集情報格納部が格納している編集可能内容を受信し、ユーザ判断部は、ユーザ識別情報が取得したユーザ識別情報と、第２通信部が受信したユーザ識別情報とが同一か否かを判断し、ファイル閲覧変更許可部は、ユーザ判断部においてユーザ識別情報が同一と判断された場合に、閲覧編集指示取得部が取得した編集指示のうち、第２通信部が受信した編集可能内容に含まれるユーザに許可されている編集指示に基づいてファイルデータの内容を変更することを許可し、ファイル閲覧変更禁止部は、ユーザ判断部においてユーザ識別情報が同一でないと判断された場合に、ファイルデータの内容を変更することを禁止してもよい。
【００１２】
また、ユーザ識別情報格納部は、複数のユーザのそれぞれを識別する複数のユーザ識別情報を格納し、閲覧編集情報格納部は、ユーザ識別情報格納部が格納している複数のユーザ識別情報のそれぞれに対応づけて、ファイル識別子格納部が格納しているファイル識別子で識別されるファイルデータに対して許可されている編集可能内容を閲覧編集情報として格納し、第１通信部は、ユーザ識別情報格納部が格納している複数のユーザ識別情報、および閲覧編集情報格納部がユーザ識別情報に対応づけて格納している編集可能内容を送信し、第２通信部は、ユーザ識別情報格納部が格納している複数のユーザ識別情報、および閲覧編集情報格納部がユーザ識別情報に対応づけて格納している編集可能内容を受信し、ユーザ判断部は、ユーザ識別情報取得部が取得したユーザ識別情報と、第２通信部が受信した複数のユーザ識別情報のいずれと同一か否かを判断し、ファイル閲覧変更許可部は、ユーザ判断部においてユーザ識別情報が同一と判断された場合に、閲覧編集指示取得部が取得した編集指示のうち、第２通信部が受信した当該ユーザ識別情報に対応づけられている編集可能内容に含まれるユーザに許可されている編集指示に基づいてファイルデータの内容を変更することを許可してもよい。
【００１３】
情報処理装置は、ファイル閲覧変更許可部がファイルデータの内容を変更することを許可した場合に、閲覧編集指示取得部が取得した編集指示に基づいてファイルデータの内容を変更する閲覧編集制御部と、閲覧編集制御部においてファイルデータの内容が変更された場合に、変更後のファイルデータの内容を第２通信部から第１通信部へ送信させる第２通信制御部とをさらに有し、表示装置は、第１通信部が受信した変更後のファイルデータの内容に、第１表示部が表示しているファイルデータを更新する第１表示制御部をさらに有してもよい。
【００１４】
また、閲覧編集情報格納部は、ファイル識別子格納部が格納しているファイル識別子で識別されるファイルデータのうち、ファイルデータの内容の変更が許可されている部分である編集可能部分を閲覧編集情報として格納し、第１通信部は、閲覧編集情報格納部が格納している編集可能部分を閲覧編集情報として送信し、第２通信部は、閲覧編集情報格納部が格納している編集可能部分を閲覧編集情報として受信し、ファイル閲覧変更許可部は、閲覧編集指示取得部が取得した編集指示に基づいて第２通信部が受信した編集可能部分のファイルデータの内容の変更を許可し、ファイル閲覧変更禁止部は、閲覧編集指示取得部が取得した編集指示に基づいて第２通信部が受信した編集可能部分以外の部分のファイルデータの内容の変更を禁止してもよい。
【００１５】
予め定められた範囲に磁界を発生して表示装置に電力を給電する給電装置をさらに備え、表示装置は、給電装置が発生した磁界から電力を受電する受電部をさらに有し、第１通信部は、予め定められた範囲内に表示装置が配置されて、受電部が電力を受電した場合に、受電した電力を用いて、ファイル識別子格納部が格納しているファイル識別子、および閲覧編集情報格納部が格納している閲覧編集情報を情報処理装置に送信してもよい。
【００１６】
閲覧編集情報格納部は、ファイル識別子格納部が格納しているファイル識別子で識別されるファイルデータのうち、ファイルデータの内容の閲覧が許可されている部分である閲覧可能部分を閲覧編集情報として格納し、第１通信部は、閲覧編集情報格納部が格納している閲覧可能部分を閲覧編集情報として送信し、第２通信部は、閲覧編集情報格納部が格納している閲覧可能部分を閲覧編集情報として受信し、ファイル閲覧変更許可部は、閲覧編集指示取得部が取得した閲覧指示に基づいて第２通信部が受信した閲覧可能部分のファイルデータの内容の閲覧を許可し、ファイル閲覧変更禁止部は、閲覧編集指示取得部が取得した閲覧指示に基づいて第２通信部が受信した閲覧可能部分以外の部分のファイルデータの内容の閲覧を禁止してもよい。
【００１７】
情報処理装置は、ファイル閲覧変更許可部が閲覧を許可した閲覧可能部分をファイルデータから抽出する閲覧編集制御部をさらに備え、第２通信部は、閲覧編集制御部が抽出した閲覧可能部分を表示装置に送信して、第１表示部に表示させてもよい。
【００１８】
閲覧編集情報格納部は、ファイル識別子格納部が格納しているファイル識別子で識別されるファイルデータの閲覧を許可する回数である閲覧可能回数を閲覧編集情報として格納し、第１通信部は、閲覧編集情報格納部が格納している閲覧可能回数を閲覧編集情報として送信し、第２通信部は、閲覧編集情報格納部が格納している閲覧可能回数を閲覧編集情報として受信し、ファイル閲覧変更許可部またはファイル閲覧変更禁止部は、第２通信部が受信した閲覧可能回数に応じて、ファイルデータの内容の閲覧を許可または禁止してもよい。
【００１９】
閲覧編集情報格納部は、ファイル識別子格納部が格納しているファイル識別子で識別されるファイルデータが閲覧できる期限である閲覧可能期限を閲覧編集情報として格納し、第１通信部は、閲覧編集情報格納部が格納している閲覧可能期限を閲覧編集情報として送信し、第２通信部は、閲覧編集情報格納部が格納している閲覧可能期限を閲覧編集情報として受信し、ファイル閲覧変更許可部またはファイル閲覧変更禁止部は、第２通信部が受信した閲覧可能期限に基づいて、ファイルデータの内容の閲覧を許可または禁止してもよい。
【００２０】
表示装置は、表示装置を識別する装置識別子を格納する装置識別子格納部をさらに有し、情報処理装置は、表示装置を識別する装置識別子に対応づけて、表示装置の表示能力を格納する表示能力格納部をさらに有し、第１通信部は、装置識別子格納部が格納している装置識別子を情報処理装置にさらに送信し、第２通信部は、装置識別子格納部が格納している装置識別子をさらに受信し、ファイル閲覧変更許可部は、第２通信部が受信した装置識別子に対応づけて表示能力格納部が格納している表示能力の範囲内で、ファイルデータの内容を変更することを許可してもよい。
【００２１】
また、本発明の第２の形態においては、ファイルデータを表示装置に表示する表示装置と、表示装置に表示されるファイルデータをユーザに閲覧または編集させる情報処理装置とを備える表示システムにおける表示制御方法であって、ファイルデータを識別するファイル識別子を格納するファイル識別子格納段階と、ファイル識別子格納段階において格納されたファイル識別子で識別されるファイルデータに対して許可されている閲覧内容または編集内容を示す閲覧編集情報を格納する閲覧編集情報格納段階と、ファイル識別子格納段階において格納されたファイル識別子で識別されるファイルデータを表示装置に表示する表示段階と、ファイル識別子格納段階において格納されたファイル識別子、および閲覧編集情報格納段階において格納された閲覧編集情報を情報処理装置に送信する第１通信段階と、ファイル識別子格納段階において格納されたファイル識別子、および閲覧編集情報格納段階において格納された閲覧編集情報を受信する第２通信段階と、第２通信段階において受信されたファイル識別子で識別されるファイルデータを取得するファイルデータ取得段階と、ユーザからのファイルデータへの閲覧指示または編集指示を取得する閲覧編集指示取得段階と、第２通信段階において受信された閲覧編集情報を参照して、ファイルデータ取得段階において取得されたファイルデータに対する閲覧または編集が許可されている場合には、閲覧編集指示取得段階において取得された閲覧指示または編集指示に基づいてファイルデータの内容を閲覧または変更することを許可するファイル閲覧変更許可段階と、第２通信段階において受信された閲覧編集情報を参照して、ファイルデータ取得段階において取得されたファイルデータに対する閲覧または編集が許可されていない場合には、ファイルデータの内容を閲覧または変更することを禁止するファイル閲覧変更禁止段階とを有する。
【００２２】
また、本発明の第３の形態においては、ファイルデータを表示する表示装置と、表示装置が表示するファイルデータをユーザに閲覧または編集させる情報処理装置とを備える表示システム用の表示プログラムであって、表示装置を、ファイルデータを識別するファイル識別子を格納するファイル識別子格納部、ファイル識別子格納部が格納しているファイル識別子で識別されるファイルデータに対して許可されている閲覧内容または編集内容を示す閲覧編集情報を格納する閲覧編集情報格納部、ファイル識別子格納部が格納しているファイル識別子で識別されるファイルデータを表示する第１表示部、ファイル識別子格納部が格納しているファイル識別子、および閲覧編集情報格納部が格納している閲覧編集情報を情報処理装置に送信する第１通信部として機能させ、情報処理装置を、ファイル識別子格納部が格納しているファイル識別子、および閲覧編集情報格納部が格納している閲覧編集情報を受信する第２通信部、第２通信部が受信したファイル識別子で識別されるファイルデータを取得するファイルデータ取得部、ユーザからのファイルデータへの閲覧指示または編集指示を取得する閲覧編集指示取得部、第２通信部が受信した閲覧編集情報を参照して、ファイルデータ取得部が取得したファイルデータに対する閲覧または編集が許可されている場合には、閲覧編集指示取得部が取得した閲覧指示または編集指示に基づいてファイルデータの内容を閲覧または変更することを許可するファイル閲覧変更許可部、第２通信部が受信した閲覧編集情報を参照して、ファイルデータ取得部が取得したファイルデータに対する閲覧または編集が許可されていない場合には、ファイルデータの内容を閲覧または変更することを禁止するファイル閲覧変更禁止部として機能させる。
【００２３】
また、本発明の第４の形態においては、外部の情報処理装置で閲覧または編集されるファイルデータを表示する表示装置であって、ファイルデータを識別するファイル識別子を格納するファイル識別子格納部と、ファイル識別子格納部が格納しているファイル識別子を情報処理装置に送信することにより、ファイル識別子格納部が格納しているファイル識別子で識別されるファイルデータを要求して情報処理装置から取得するファイルデータ通信部と、ファイルデータ通信部が取得したファイルデータを表示する表示部と、ファイル識別子格納部が格納しているファイル識別子で識別されるファイルデータに対する情報処理装置による閲覧または編集が許可されている編集内容を示す閲覧編集情報を格納する閲覧編集情報格納部と、閲覧編集情報格納部が格納している閲覧編集情報を情報処理装置に送信することにより、ファイル識別子格納部が格納しているファイル識別子で識別されるファイルデータに対する情報処理装置による閲覧または編集を制限する閲覧編集情報通信部とを備える。
【００２４】
また、本発明の第５の形態においては、外部の情報処理装置で閲覧または編集されるファイルデータを表示する表示方法であって、ファイルデータを識別するファイル識別子をファイル識別子格納部に格納するファイル識別子格納段階と、ファイル識別子格納部が格納しているファイル識別子を情報処理装置に送信することにより、ファイル識別子格納部が格納しているファイル識別子で識別されるファイルデータを要求して情報処理装置から取得するファイルデータ通信段階と、ファイルデータ通信段階において取得されたファイルデータを表示部に表示する表示段階と、ファイル識別子格納部が格納しているファイル識別子で識別されるファイルデータに対する情報処理装置による閲覧または編集が許可されている編集内容を示す閲覧編集情報を閲覧編集情報格納部に格納する閲覧編集情報格納段階と、閲覧編集情報格納部が格納している閲覧編集情報を情報処理装置に送信することにより、ファイル識別子格納部が格納しているファイル識別子で識別されるファイルデータに対する情報処理装置による閲覧または編集を制限する閲覧編集情報通信段階とを備える。
【００２５】
また、本発明の第６の形態においては、外部の情報処理装置で閲覧または編集されるファイルデータを表示する表示装置用の表示プログラムであって、表示装置を、ファイルデータを識別するファイル識別子を格納するファイル識別子格納部、ファイル識別子格納部が格納しているファイル識別子を情報処理装置に送信することにより、ファイル識別子格納部が格納しているファイル識別子で識別されるファイルデータを要求して情報処理装置から取得するファイルデータ通信部、ファイルデータ通信部が取得したファイルデータを表示する表示部、ファイル識別子格納部が格納しているファイル識別子で識別されるファイルデータに対する情報処理装置による閲覧または編集が許可されている編集内容を示す閲覧編集情報を格納する閲覧編集情報格納部、閲覧編集情報格納部が格納している閲覧編集情報を情報処理装置に送信することにより、ファイル識別子格納部が格納しているファイル識別子で識別されるファイルデータに対する情報処理装置による閲覧または編集を制限する閲覧編集情報通信部として機能させる。
【００２６】
また、本発明の第７の形態においては、ファイルデータを表示する表示装置と、表示装置が表示するファイルデータをユーザに閲覧または編集させる情報処理装置と、ファイルデータを識別するファイル識別子に対応づけて、当該ファイルデータに対して許可されている閲覧内容または編集内容を示す閲覧編集情報を格納する閲覧編集情報格納部とを備える表示システムであって、表示装置は、ファイル識別子を格納するファイル識別子格納部と、ファイル識別子格納部が格納しているファイル識別子で識別されるファイルデータを表示する第１表示部と、ファイル識別子格納部が格納しているファイル識別子を情報処理装置に送信する第１通信部とを有し、情報処理装置は、ファイル識別子格納部が格納しているファイル識別子を受信する第２通信部と、第２通信部が受信したファイル識別子で識別されるファイルデータを取得するファイルデータ取得部と、ユーザからのファイルデータへの閲覧指示または編集指示を取得する閲覧編集指示取得部と、閲覧編集情報格納部が格納している閲覧編集情報を参照して、ファイルデータ取得部が取得したファイルデータに対する閲覧または編集が許可されている場合には、閲覧編集指示取得部が取得した閲覧指示または編集指示に基づいてファイルデータの内容を閲覧または変更することを許可するファイル閲覧変更許可部と、第２通信部が受信した閲覧編集情報を参照して、ファイルデータ取得部が取得したファイルデータに対する閲覧または編集が許可されていない場合には、ファイルデータの内容を閲覧または変更することを禁止するファイル閲覧変更禁止部とを有する。
【００２７】
また、本発明の第８の形態においては、ファイルデータを表示する表示装置と、表示装置が表示するファイルデータをユーザに閲覧または編集させる情報処理装置と、ファイルデータを識別するファイル識別子に対応づけて、当該ファイルデータに対して許可されている閲覧内容または編集内容を示す閲覧編集情報を格納する閲覧編集情報格納部とを備える表示システム用の表示プログラムであって、表示装置を、ファイル識別子を格納するファイル識別子格納部、ファイル識別子格納部が格納しているファイル識別子で識別されるファイルデータを表示する第１表示部、ファイル識別子格納部が格納しているファイル識別子を情報処理装置に送信する第１通信部として機能させ、情報処理装置を、ファイル識別子格納部が格納しているファイル識別子を受信する第２通信部、第２通信部が受信したファイル識別子で識別されるファイルデータを取得するファイルデータ取得部、ユーザからのファイルデータへの閲覧指示または編集指示を取得する閲覧編集指示取得部、閲覧編集情報格納部が格納している閲覧編集情報を参照して、ファイルデータ取得部が取得したファイルデータに対する閲覧または編集が許可されている場合には、閲覧編集指示取得部が取得した閲覧指示または編集指示に基づいてファイルデータの内容を閲覧または変更することを許可するファイル閲覧変更許可部、第２通信部が受信した閲覧編集情報を参照して、ファイルデータ取得部が取得したファイルデータに対する閲覧または編集が許可されていない場合には、ファイルデータの内容を閲覧または変更することを禁止するファイル閲覧変更禁止部として機能させる。
【００２８】
なお、上記の発明の概要は、本発明の必要な特徴の全てを列挙したものではなく、これらの特徴群のサブコンビネーションもまた、発明となりうる。
【発明の効果】
【００２９】
本発明によれば、表示装置に表示されているファイルデータの内容の変更を許可または禁止して、情報処理装置にファイルデータを表示することができる。
【発明を実施するための最良の形態】
【００３０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００３１】
図１は、本発明の一実施形態に係る表示システム１０の概要を示す。表示システム１０は、表示装置２２、表示装置２４、表示装置２６、情報処理装置３０、および給電装置４０を備える。なお、表示装置は少なくとも一つあればよい。また、情報処理装置３０は、ファイルデータを表示するモニタ３０２、並びにファイルデータの内容を変更するときにファイルデータの変更内容を入力するキーボード３７６およびマウス３７８を有する。なお、表示装置２２、表示装置２４、および表示装置２６は、例えば、電子ペーパ、フレキシブルディスプレイ、リライタブルペーパ、ペーパライクディスプレイ、デジタルペーパ、エレクトロニックペーパ、電子シート、および電子表示シートである。
【００３２】
本実施形態に係る表示システム１０は、所定のファイルデータが表示されている表示装置が給電装置４０から電力を受電した場合に、表示しているファイルデータの内容の閲覧または変更の可否を示す情報を情報処理装置３０に送信する。そして、情報処理装置３０において、ファイルデータの内容の閲覧または変更を許可または禁止して、ファイルデータを表示することを目的とする。
【００３３】
例えば、ファイルデータを表示する複数の表示装置２２等は本棚５２に収納されている。ユーザは、所望の表示装置２２、表示装置２４、および表示装置２６を本棚５２から取り出して、テーブル５０の上に設置された給電装置４０の上に配置する。給電装置４０は、所定の範囲に磁界を発生して表示装置２２、表示装置２４、および表示装置２６のそれぞれに電力を給電する。ここで、表示装置２２、表示装置２４、および表示装置２６は、表示しているファイルデータを識別するファイル識別子、およびファイルデータの内容を情報処理装置３０において閲覧または変更してよいか否かを示す閲覧編集情報を格納している。給電装置４０から電力が給電された表示装置２２、表示装置２４、および表示装置２６は、情報処理装置３０に、ファイル識別子および閲覧編集情報をそれぞれ送信する。
【００３４】
情報処理装置３０は、アンテナ３２２を介して表示装置２２、表示装置２４、および表示装置２６からファイル識別子および閲覧編集情報をそれぞれ受信する。そして、情報処理装置３０は、受信した閲覧編集情報を参照する。続いて、情報処理装置３０は、受信したファイル識別子で識別されるファイルデータの内容の閲覧または変更が許可されているか否かを、表示装置２２、表示装置２４、および表示装置２６から受け取ったファイル識別子で識別されるファイルデータのそれぞれについて判断する。情報処理装置３０は、ファイルデータの閲覧が禁止されていると判断した場合には、ファイルデータの内容をモニタ３０２に表示させない。情報処理装置３０は、ファイルデータの内容の変更が禁止されていると判断した場合には、ファイルデータの内容を変更することを禁止した状態でファイルデータをモニタ３０２に表示する。具体的には、情報処理装置３０は、ファイルデータの内容の変更ができない閲覧ソフトでファイルデータを開くことによって、ファイルデータの内容の変更を禁止する。また、情報処理装置３０は、ワープロソフトのファイルデータの内容を変更する機能（例えば、文字等の入力、およびコピー等）を禁止して、当該ワープロソフトでファイルデータを開くことによって、ファイルデータの内容の変更を禁止してもよい。一方、情報処理装置３０は、ファイルデータの内容の変更が許可されていると判断した場合には、ファイルデータの内容を変更することを許可した状態でファイルデータをモニタ３０２に表示する。具体的には、ファイルデータの内容の変更ができるワープロソフト等でファイルデータを開くことによって、ファイルデータの内容の変更を許可する。
【００３５】
例えば、表示装置２２から受け取った閲覧編集情報がファイルデータの内容の閲覧を許可するが、変更を禁止する旨の内容である場合には、情報処理装置３０は、表示装置２２が表示しているファイルデータの内容の変更を禁止すべく、閲覧ソフトを用いてファイルデータを開く。また、表示装置２４および表示装置２６から受け取った閲覧編集情報がファイルデータの内容の変更を許可する旨の内容である場合には、情報処理装置３０は、表示装置２４および表示装置２６が表示しているファイルデータの内容の変更ができるワープロソフトを用いてファイルデータを開く。
【００３６】
情報処理装置３０は、ファイルデータをモニタ３０２に表示する。情報処理装置３０は、複数の表示装置から受信したファイル識別子で識別される複数のファイルデータをモニタ３０２に表示する。そして、ユーザは、キーボード３７６およびマウス３７８から、所望のファイルデータに対して所望の情報を入力することによって、モニタ３０２に表示されたファイルデータの内容を変更する。続いて、情報処理装置３０は、ユーザによって内容が変更されたファイルデータを、アンテナ３２２を介して表示装置２４および表示装置２６に送信する。表示装置２４および表示装置２６は、情報処理装置３０から受け取ったファイルデータの内容が変更された後のファイルデータを表示する。
【００３７】
図２は、本実施形態に係る表示装置２２および給電装置４０の機能構成の一例を示す。また、図３は、本実施形態に係る情報処理装置３０の機能構成の一例を示す。表示装置２２は、第１表示部２００、第１表示制御部２１０、第１通信部２２０、格納ユニット２３０、および受電部２４０を有する。また、第１通信部２２０は、ファイルデータ通信部２２２および閲覧編集情報通信部２２４を含む。さらに、格納ユニット２３０は、ユーザ識別情報格納部２３２、ファイル識別子格納部２３４、および閲覧編集情報格納部２３６、装置識別子格納部２３８を含む。
【００３８】
また、給電装置４０は、給電部４００および給電制御部４１０を有する。さらに、情報処理装置３０は、第２表示部３００、第２表示制御部３１０、第２通信部３２０、閲覧編集許否決定部３３０、表示能力格納部３３６、閲覧回数格納部３３８、ファイルデータ取得部３４０、閲覧編集制御部３５０、ユーザ判断部３６０、閲覧編集指示取得部３７０、ユーザ識別情報取得部３７２、情報入力部３７４、第２通信制御部３８０、およびファイルデータ格納部３９０を有する。また、閲覧編集許否決定部３３０は、ファイル閲覧変更許可部３３２およびファイル閲覧変更禁止部３３４を含む。
【００３９】
まず、給電装置４０の機能構成について説明する。給電装置４０は、予め定められた範囲に磁界を発生して、表示装置２２に電力を供給する。具体的には、給電装置４０が有する給電部４００が、予め定められた範囲に磁界を発生する。そして、給電部４００は、表示装置２２が有する受電部２４０と直接接続しない状態で電力を給電する。また、給電制御部４１０は、給電部４００の受電部２４０への電力の給電を制御する。例えば、給電制御部４１０は、給電部４００の受電部２４０への電力の給電量を、磁界の状態を変化させることにより制御する。また、給電制御部４１０は、給電部４００が発生する磁界の状態を監視してよい。給電部４００の位置から予め定められた範囲内に受電部２４０が存在すると、給電部４００が発生する磁界の状態が変化する。したがって、給電制御部４１０は、給電部４００が発生する磁界の状態が変化したことを検知したときに、給電部４００の位置から予め定められた範囲内に受電部２４０が存在すると判断できる。
【００４０】
続いて、表示装置２２の機能構成について説明する。表示装置２２は、文書ファイルおよび画像ファイル等のファイルデータを表示する。なお、表示装置２２が表示するファイルデータは、外部の情報処理装置３０で編集されるファイルデータであってよい。まず、受電部２４０は、給電装置４０が有する給電部４００が発生した磁界から電力を受電する。受電部２４０は、受電した電力を第１表示制御部２１０および第１通信部２２０に供給する。なお、受電部２４０は、アンテナコイルを含んでいてよい。受電部２４０がアンテナコイルを含んでいる場合には、受電部２４０は、非接触的に電力を受電できる。
【００４１】
格納ユニット２３０は、ユーザ識別情報、ファイル識別子、閲覧編集情報、および装置識別子を格納する。具体的には、以下に示す各部材にそれぞれの情報を格納する。ユーザ識別情報格納部２３２は、ユーザを識別するユーザ識別情報を格納する。ユーザ識別情報格納部２３２が格納するユーザ識別情報は、ユーザを一意に識別できる識別子、パスワード、および数値等で表現されたユーザＩＤ等であってよい。さらに、ユーザ識別情報は、ユーザの指紋、静脈、および瞳の虹彩等を示す情報であってもよい。また、ユーザ識別情報格納部２３２は、複数のユーザをそれぞれ識別する複数のユーザ識別情報を格納してもよい。また、ファイル識別子格納部２３４は、ファイルデータを識別するファイル識別子を格納する。ファイル識別子は、例えば、ファイル名であってよい。さらに、ファイル識別子は、ファイルデータの所在を示すＵＲＬ等の情報を含んでいてもよい。
【００４２】
さらに、閲覧編集情報格納部２３６は、ファイル識別子格納部２３４が格納しているファイル識別子で識別されるファイルデータに対して許可されている、閲覧内容または編集内容を示す閲覧編集情報を格納する。すなわち、閲覧編集情報格納部２３６は、ファイル識別子で識別されるファイルデータに対する情報処理装置３０による閲覧または編集が許可されている、閲覧内容または編集内容を示す閲覧編集情報を格納する。具体的には、閲覧編集情報格納部２３６は、ファイル識別子格納部２３４が格納しているファイル識別子で識別されるファイルデータのうち、ファイルデータの内容の閲覧が許可されている部分である閲覧可能部分を閲覧編集情報として格納する。また、閲覧編集情報格納部２３６は、ファイルデータの内容を変更することができるアプリケーションソフトである編集可能ソフトの種類、または、ファイルデータの内容を変更することができないアプリケーションソフトである編集不可ソフトの種類を閲覧編集情報として格納する。編集可能ソフトの種類は、例えば、ワープロソフト、表計算ソフト、および画像編集ソフト等であってよい。また、編集不可ソフトは、所定のファイル形式のファイルデータを表示する閲覧ソフト、および画像ビューワ等であってよい。
【００４３】
また、閲覧編集情報格納部２３６は、ユーザ識別情報格納部２３２が格納している複数のユーザ識別情報のそれぞれに対応づけて、編集可能ソフトの種類、または編集不可ソフトの種類を閲覧編集情報として格納してもよい。また、閲覧編集情報格納部２３６は、ファイル識別子格納部２３４が格納しているファイル識別子で識別されるファイルデータに対して施すことが許可されている編集可能内容を閲覧編集情報として格納してもよい。編集可能内容は、ファイルデータの内容の変更（例えば、ファイルデータの内容の削除、およびファイルデータの内容への情報の追加等）ができる旨を示す内容であってよい。また、編集可能内容は、ファイルデータの切り取り、コピー、貼り付け、ファイルデータの上書き保存、ファイルデータの別名での保存、ファイルデータの印刷、およびファイルデータの送信等のうち少なくとも１つを含む内容であってよい。
【００４４】
さらに、閲覧編集情報格納部２３６は、ユーザ識別情報格納部２３２が格納している複数のユーザ識別情報のそれぞれに対応づけて、ファイル識別子格納部２３４が格納しているファイル識別子で識別されるファイルデータに対して許可されている編集可能内容を閲覧編集情報として格納してもよい。具体的には、閲覧編集情報格納部２３６は、各ユーザ識別子で識別されるユーザが、ファイルデータに対して施すことが許可されている編集可能内容を、複数のユーザ識別子のそれぞれに対応づけて格納する。例えば、閲覧編集情報格納部２３６は、所定のユーザに対してファイルデータの内容の変更を許可する旨を示す編集可能内容を格納する一方で、他のユーザに対しては、当該ファイルデータの内容の変更を禁止する旨を示す編集可能内容を格納する。
【００４５】
また、閲覧編集情報格納部２３６は、ファイル識別子格納部２３４が格納しているファイル識別子で識別されるファイルデータのうち、ファイルデータの内容の閲覧または変更が許可されている部分である閲覧可能部分または編集可能部分を閲覧編集情報として格納してもよい。例えば、閲覧編集情報格納部２３６は、所定のファイルデータの中で、ファイルデータの内容の閲覧または変更を禁止する部分を特定して、特定した部分を除くその他の部分を、ファイルデータの内容を自由に閲覧または編集できる閲覧可能部分または編集可能部分として格納する。
【００４６】
また、閲覧編集情報格納部２３６は、ファイル識別子格納部２３４が格納しているファイル識別子で識別されるファイルデータの閲覧を許可する回数である閲覧可能回数を閲覧編集情報として格納する。具体的には、閲覧編集情報格納部２３６は、ユーザ識別子およびファイル識別子に対応づけて、ファイル識別子で識別されるファイルデータを表示装置２２の第１表示部２００において表示することが許可されている回数を格納している。なお、閲覧編集情報格納部２３６は、さらに装置識別子に対応づけてファイルデータを表示できる回数を格納していてもよい。
【００４７】
また、閲覧編集情報格納部２３６は、ファイル識別子格納部２３４が格納しているファイル識別子で識別されるファイルデータが閲覧することが許可されている期限である閲覧可能期限を閲覧編集情報として格納する。具体的には、閲覧編集情報格納部２３６は、ファイル識別子で識別されるファイルデータを、表示装置２２の第１表示部２００において表示できる期間を格納している。なお、閲覧編集情報格納部２３６は、さらにユーザ識別子または装置識別子に対応づけて、ファイルデータが閲覧できる期限を格納していてもよい。装置識別子格納部２３８は、表示装置２２を識別する装置識別子を格納する。格納ユニット２３０は、ユーザ識別情報、ファイル識別子、閲覧編集情報、および装置識別子を、第１通信部２２０の制御に基づいて第２通信部３２０に供給する。
【００４８】
第１通信部２２０は、ユーザ識別情報格納部２３２が格納しているユーザ識別情報、ファイル識別子格納部２３４が格納しているファイル識別子、閲覧編集情報格納部２３６が格納している閲覧編集情報、または装置識別子格納部２３８が格納している装置識別子を抽出して、情報処理装置３０に送信する。なお、閲覧編集情報には、編集可能ソフトの種類、編集不可ソフトの種類、ユーザ識別情報に対応づけられている編集可能ソフトまたは編集不可ソフトの種類、編集可能内容、ユーザ識別情報に対応づけられている編集可能内容、編集可能部分、閲覧可能部分、閲覧可能回数、および閲覧可能期限のうち少なくとも１つが含まれていてよい。なお、第１通信部２２０は、ユーザ識別情報格納部２３２が複数のユーザ識別情報を格納している場合には、複数のユーザ識別情報を情報処理装置３０に送信してよい。また、給電装置４０が磁界を発生している予め定められた範囲内に表示装置２２が配置されて、受電部２４０が電力を受電した場合に、第１通信部２２０は、受電部２４０が受電した電力を用いて、ユーザ識別情報、ファイル識別子、または閲覧編集情報を情報処理装置３０に送信してよい。
【００４９】
さらに、第１通信部２２０が有するファイルデータ通信部２２２は、情報処理装置３０にファイル識別子を送信することにより、当該ファイル識別子で識別されるファイルデータを情報処理装置３０に要求する。そして、ファイルデータ通信部２２２は、情報処理装置３０から当該ファイル識別子で識別されるファイルデータを取得する。
【００５０】
ここで、ファイル識別子格納部２３４が異なる複数のファイル識別子を格納している場合、ファイルデータ通信部２２２は、情報処理装置３０に複数のファイル識別子を送信する。そして、ファイルデータ通信部２２２は、送信した複数のファイル識別子のうちの、情報処理装置３０の情報入力部３７４を介してユーザによって指定されたファイル識別子で識別されるファイルデータを、情報処理装置３０から取得する。
【００５１】
また、第１通信部２２０が有する閲覧編集情報通信部２２４は、閲覧編集情報を情報処理装置３０に送信する。そして、閲覧編集情報通信部２２４は、閲覧編集情報を情報処理装置３０に送信することにより、ファイル識別子で識別されるファイルデータに対する情報処理装置３０による閲覧または編集を制限する。第１通信部２２０は、ファイルデータ通信部２２２が情報処理装置３０から取得したファイルデータを第１表示制御部２１０に供給する。
【００５２】
第１表示制御部２１０は、第１通信部２２０から受け取ったファイルデータを第１表示部２００に表示させる。また、第１表示制御部２１０は、第１表示部２００に既に所定のファイルデータが表示されている場合には、第１表示部２００が表示している所定のファイルデータを、第１通信部２２０から受け取ったファイルデータの内容に更新してもよい。第１表示部２００は、ファイル識別子格納部２３４が格納しているファイル識別子で識別されるファイルデータを表示する。具体的には、第１表示部２００は、第１表示制御部２１０の制御をうけて、第１通信部２２０が情報処理装置３０から受け取ったファイルデータを表示する。なお、請求項に記載の表示装置が備える表示部は、第１表示部２００の一例である。
【００５３】
続いて、図３に示す情報処理装置３０の機能構成について説明する。情報処理装置３０は、表示装置２２が表示するファイルデータをユーザに編集させる。第２通信部３２０は、ユーザ識別情報格納部２３２が格納しているユーザ識別情報、ファイル識別子格納部２３４が格納しているファイル識別子、閲覧編集情報格納部２３６が格納している閲覧編集情報、または装置識別子格納部２３８が格納している装置識別子を、表示装置２２から受信する。なお、第２通信部３２０は、アンテナ３２２を含んでいてよい。また、第２通信部３２０が受信する閲覧編集情報は、編集可能ソフトの種類、編集不可ソフトの種類、ユーザ識別情報に対応づけられている編集可能ソフトまたは編集不可ソフトの種類、編集可能内容、ユーザ識別情報に対応づけられている編集可能内容、編集可能部分、閲覧可能回数、および閲覧可能期限のうち少なくとも１つを含んでよい。第２通信部３２０は、受信したユーザ識別子をユーザ判断部３６０に供給する。また、第２通信部３２０は、受信したファイル識別子をファイルデータ取得部３４０に供給する。さらに、第２通信部３２０は、受信した閲覧編集情報を閲覧編集許否決定部３３０に供給する。
【００５４】
ファイルデータ格納部３９０は、ファイル識別子に対応づけてファイルデータを格納する。ファイルデータ格納部３９０は、ファイルデータ取得部３４０に制御されて、ファイルデータをファイルデータ取得部３４０に供給する。ファイルデータ取得部３４０は、第２通信部３２０から受信したファイル識別子で識別されるファイルデータを、ファイルデータ格納部３９０から取得する。ファイルデータ取得部３４０は、取得したファイルデータを閲覧編集制御部３５０に供給する。
【００５５】
ここで、ファイル識別子格納部２３４が異なる複数のファイル識別子を格納している場合、第２通信部３２０は、ファイル識別子格納部２３４が格納している複数のファイル識別子を、表示装置２２から受信する。そして、ファイルデータ取得部３４０が、第２通信部３２０が受信した複数のファイル識別子のうちの、情報入力部３７４を介してユーザによって指定されたファイル識別子で識別されるファイルデータを、ファイルデータ格納部３９０から取得する。
【００５６】
また、ファイルデータ取得部３４０は、取得したファイルデータに対応づけられているファイル識別子を閲覧編集許否決定部３３０に供給する。情報入力部３７４は、ユーザからの情報の入力を受け付ける。キーボード３７６およびマウス３７８は情報入力部３７４の一例である。情報入力部３７４は、ユーザのファイルデータの内容に対する編集指示を閲覧編集指示取得部３７０に供給する。また、情報入力部３７４は、ユーザを識別するユーザ識別情報をユーザ識別情報取得部３７２に供給する。
【００５７】
ユーザ識別情報取得部３７２は、ユーザ識別情報をユーザに入力させて取得する。具体的には、ユーザ識別情報取得部３７２は、情報入力部３７４を介して、ユーザ識別情報をユーザに入力させる。そして、ユーザ識別情報取得部３７２は、ユーザが情報入力部３７４に入力したユーザ識別情報を取得する。ユーザ識別情報は、ユーザを一意に識別できるユーザＩＤおよびパスワード等であってよい。また、ユーザ識別情報取得部３７２は、生体認証技術を用いてユーザ識別情報を取得してもよい。ユーザ識別情報取得部３７２が生体認証技術を用いる場合には、ユーザ識別情報は、ユーザの指紋情報およびユーザの指等の静脈情報等であってよい。ユーザ識別情報取得部３７２は、取得したユーザ識別情報をユーザ判断部３６０に供給する。
【００５８】
ユーザ判断部３６０は、第２通信部３２０から受け取ったユーザ識別情報と、ユーザ識別情報取得部３７２から受け取ったユーザ識別情報とが同一か否かを判断する。また、ユーザ判断部３６０は、第２通信部３２０から複数のユーザ識別情報を受け取った場合には、ユーザ識別情報取得部３７２から受け取ったユーザ識別情報が、第２通信部３２０から受け取った複数のユーザ識別情報のいずれと同一であるか否かを判断する。ユーザ判断部３６０は、判断結果を閲覧編集許否決定部３３０に供給する。閲覧編集指示取得部３７０は、情報入力部３７４を介して、ユーザからのファイルデータへの閲覧指示または編集指示を取得する。閲覧編集指示取得部３７０は、編集指示を閲覧編集制御部３５０に供給する。
【００５９】
閲覧回数格納部３３８は、ユーザが表示装置２２を利用してファイルデータを閲覧した回数を格納する。すなわち、閲覧回数格納部３３８は、第１通信部２２０から送信されたファイル識別子およびユーザ識別子に対応づけて、ファイル閲覧変更許可部３３２がファイルデータの閲覧を許可した回数を閲覧回数として格納する。また、閲覧回数格納部３３８は、ファイル閲覧変更許可部３３２によってファイルデータの閲覧が許可されるごとに、ファイル識別子およびユーザ識別子に対応づけて、閲覧回数に１を加えて格納する。なお、閲覧回数格納部３３８は、さらに装置識別子を対応づけて閲覧回数として格納してもよい。
【００６０】
表示能力格納部３３６は、表示装置２２を識別する装置識別子に対応づけて、表示装置２２の表示能力を格納する。すなわち、表示能力格納部３３６は、複数の表示装置２２をそれぞれ識別する装置識別子対応した、複数の表示装置２２のそれぞれの表示能力を格納する。なお、表示能力格納部３３６は、表示装置２２が有していてもよい。この場合、表示能力格納部は、自らの表示能力を装置識別子に対応づけて格納する。そして第１通信部２２０は、表示能力格納部に格納された装置識別子および自らの表示能力を情報処理装置３０へ送信する。
【００６１】
閲覧編集許否決定部３３０は、第２通信部３２０から受け取った閲覧編集情報を参照して、ファイルデータ取得部３４０が取得したファイル識別子で識別されるファイルデータの内容の閲覧または変更の許否を決定する。具体的には、閲覧編集許否決定部３３０が有するファイル閲覧変更許可部３３２は、第２通信部３２０から受け取った閲覧編集情報を参照する。そして、ファイル閲覧変更許可部３３２は、ファイルデータ取得部３４０が取得したファイルデータに対する閲覧または編集が許可されている場合には、閲覧編集指示取得部３７０が取得した閲覧指示または編集指示に基づいてファイルデータの内容を閲覧または変更することを許可する。具体的には、ファイル閲覧変更許可部３３２は、閲覧編集情報に含まれる種類の編集可能ソフトを用いて、ファイルデータ取得部３４０が取得したファイルデータを開くことによって、ファイルデータの内容を閲覧または変更することを許可する。例えば、ファイル閲覧変更許可部３３２は、閲覧編集情報に含まれる種類の編集可能ソフトを用いて、ファイルデータ取得部３４０が取得したファイルデータを開くことを閲覧編集制御部３５０に指示する。
【００６２】
また、ファイル閲覧変更許可部３３２は、閲覧編集指示取得部３７０が取得した閲覧指示に基づいて第２通信部３２０が受信した閲覧可能部分のファイルデータの内容の閲覧を許可する。具体的には、閲覧編集許否決定部３３０が有するファイル閲覧変更許可部３３２は、第２通信部３２０から受け取った閲覧編集情報を参照する。そして、ファイル閲覧変更許可部３３２は、ファイルデータ取得部３４０が取得したファイルデータに対して閲覧可能部分が設定されている場合には、閲覧編集指示取得部３７０が取得した閲覧指示に基づいて閲覧可能部分のファイルデータの内容の閲覧を許可する。すなわち、ファイル閲覧変更許可部３３２は、ファイルデータ取得部３４０が取得したファイルデータのうち、閲覧可能部分を抽出するように閲覧編集制御部３５０に指示する。
【００６３】
また、ファイル閲覧変更許可部３３２は、ユーザ判断部３６０から受け取った判断結果が、第２通信部３２０が取得したユーザ識別情報とユーザ識別情報取得部３７２が取得したユーザ識別情報とが同一である旨の判断結果であった場合に、ファイルデータ取得部３４０が取得したファイルデータを開いてよい。例えば、ファイル閲覧変更許可部３３２は、ユーザ判断部３６０から受け取った判断結果が、第２通信部３２０が取得したユーザ識別情報とユーザ識別情報取得部３７２が取得したユーザ識別情報とが同一である旨の判断結果であった場合に、第２通信部から受け取った種類の編集可能ソフトを用いて、ファイルデータ取得部３４０が取得したファイルデータを開いてよい。これにより、ファイル閲覧変更許可部３３２は、ファイルデータの内容を閲覧または変更することを許可できる。
【００６４】
さらに、ファイル閲覧変更許可部３３２は、第２通信部３２０が複数のユーザ識別情報を受信した場合には、ユーザ判断部３６０がユーザ識別情報取得部３７２において取得されたユーザ識別情報と同一と判断したユーザ識別情報に対応づけられている閲覧編集情報に基づいて、ファイルデータ取得部３４０が取得したファイルデータを開いてもよい。例えば、ファイル閲覧変更許可部３３２は、第２通信部３２０が複数のユーザ識別情報を受信した場合には、ユーザ判断部３６０がユーザ識別情報取得部３７２において取得されたユーザ識別情報と同一と判断したユーザ識別情報に対応づけられている種類の編集可能ソフトを用いて、ファイルデータ取得部３４０が取得したファイルデータを開いてもよい。これにより、ファイル閲覧変更許可部３３２は、ユーザごとにファイルデータの内容の閲覧または変更の許可または禁止を設定できる。
【００６５】
また、ファイル閲覧変更許可部３３２は、閲覧編集指示取得部３７０が取得した編集指示のうち、第２通信部３２０から受け取った編集可能内容に含まれる編集指示に基づくファイルデータの内容の変更を許可する。具体的には、編集可能内容にファイルデータの内容の変更を許可する旨、ファイルデータのコピーを許可する旨、およびファイルデータの印刷を許可する旨が含まれていた場合には、ファイル閲覧変更許可部３３２は、ファイルデータの内容の変更、ファイルデータのコピー、およびファイルデータの印刷を許可する。また、ファイル閲覧変更許可部３３２は、ユーザ判断部３６０からユーザ識別情報が同一である旨を示す情報を受け取った場合には、ユーザ識別情報に対応づけられている編集可能内容に含まれる編集指示だけを許可する。
【００６６】
例えば、ユーザ識別情報で識別されるユーザに、ファイルデータの内容の変更だけが許可されていた場合には、ファイル閲覧変更許可部３３２は、閲覧編集指示取得部３７０が取得したユーザの編集指示のうち、ファイルデータの内容の変更だけを許可する。そして、ファイル閲覧変更許可部３３２は、ファイルデータの内容のコピー、保存、および他の情報処理装置への送信等は許可しない。第２通信部３２０が複数のユーザ識別情報を取得した場合においても、ファイル閲覧変更許可部３３２は、ユーザ判断部３６０において同一と判断されたユーザ識別情報に対応するユーザに許可されている編集可能内容だけを許可する。
【００６７】
また、ファイル閲覧変更許可部３３２は、第２通信部３２０が受信した装置識別子に対応づけて表示能力格納部３３６が格納している表示能力の範囲内で、ファイルデータの内容を変更することを許可する。具体的には、ファイル閲覧変更許可部３３２は、表示能力格納部３３６を参照する。ファイル閲覧変更許可部３３２は、第２通信部３２０が受信した装置識別子に基づいて、表示装置２２の表示能力を取得する。ファイル閲覧変更許可部３３２は、閲覧編集制御部３５０に、取得した表示装置２２の表示能力におけるファイルデータの内容の変更を許可する。例えば、ファイル閲覧変更許可部３３２は、表示装置２２の解像度、使用可能な色の種類、または画面のサイズの範囲内で、ファイルデータの内容の変更を許可する。
【００６８】
また、ファイル閲覧変更許可部３３２は、第２通信部３２０が受信した閲覧可能回数に応じて、ファイルデータの内容の閲覧を許可する。具体的には、ファイル閲覧変更許可部３３２は、第２通信部３２０によって受信したユーザ識別情報およびファイル識別子に対応する閲覧回数を閲覧回数格納部３３８から取得する。また、ファイル閲覧変更許可部３３２は、第２通信部３２０によって受信した閲覧編集情報から閲覧可能回数を取得する。ファイル閲覧変更許可部３３２は、ユーザ識別子およびファイル識別子に対応づけられた閲覧回数が、取得した閲覧可能回数を超えていない場合に、閲覧編集制御部３５０に対してファイルデータの閲覧を許可する。なお、ファイル閲覧変更許可部３３２は、さらに装置識別子に対応づけられた閲覧回数が、取得した閲覧可能回数を超えていない場合に、閲覧編集制御部３５０に対してファイルデータの閲覧を許可してもよい。
【００６９】
また、ファイル閲覧変更許可部３３２は、第２通信部３２０が受信した閲覧可能期限に基づいて、ファイルデータの内容の閲覧を許可する。具体的には、ファイル閲覧変更許可部３３２は、第２通信部３２０によって受信した閲覧可能期限と現在日時とを比較して、現在日時が閲覧可能期限内である場合に、閲覧編集制御部３５０に対してファイルデータの閲覧を許可する。
【００７０】
ファイル閲覧変更禁止部３３４は、第２通信部から受け取った閲覧編集情報を参照する。そして、ファイル閲覧変更禁止部３３４は、ファイルデータ取得部３４０が取得したファイルデータに対する閲覧または編集が許可されていない場合には、閲覧編集指示取得部３７０が取得した閲覧指示または編集指示に基づいてファイルデータの内容を閲覧または変更することを禁止する。具体的には、ファイル閲覧変更禁止部３３４は、閲覧編集情報に含まれる種類の編集不可ソフトを用いて、ファイルデータ取得部３４０が取得したファイルデータを開くことによって、ファイルデータの内容を閲覧または変更することを禁止する。例えば、ファイル閲覧変更許可部３３２は、閲覧編集制御部３５０に、閲覧編集情報に含まれる種類の編集不可ソフトを用いて、ファイルデータ取得部３４０が取得したファイルデータを開くことを指示する。編集不可ソフトには、ファイルデータの内容を変更できない旨を予め設定してあるので、編集不可ソフトによってファイルデータを開くことにより、ファイル閲覧変更禁止部３３４はファイルデータの内容の変更を禁止できる。
【００７１】
また、ファイル閲覧変更禁止部３３４は、閲覧編集指示取得部が取得した閲覧指示に基づいて第２通信部が受信した閲覧可能部分以外の部分のファイルデータの内容の閲覧を禁止する。具体的には、ファイル閲覧変更禁止部３３４は、第２通信部３２０から受け取った閲覧編集情報を参照する。そして、ファイル閲覧変更禁止部３３４は、ファイルデータ取得部３４０が取得したファイルデータに対して閲覧可能部分が設定されている場合には、閲覧編集指示取得部３７０が取得した閲覧指示に基づいて閲覧可能部分以外のファイルデータの内容の閲覧を禁止する。すなわち、ファイル閲覧変更禁止部３３４は、ファイルデータ取得部３４０が取得したファイルデータのうち、閲覧可能部分以外を抽出するように閲覧編集制御部３５０に指示する。なお、ファイル閲覧変更許可部３３２またはファイル閲覧変更禁止部３３４は、どちらか一方が閲覧可能部分の抽出指示または閲覧可能部分以外の抽出指示を閲覧編集制御部３５０に指示してよい。
【００７２】
また、ファイル閲覧変更禁止部３３４は、ユーザ判断部３６０から受け取った判断結果が、第２通信部３２０が取得したユーザ識別情報とユーザ識別情報取得部３７２が取得したユーザ識別情報とが同一でない旨の判断結果であった場合に、第２通信部から受け取った種類の編集不可ソフトを用いて、ファイルデータ取得部３４０が取得したファイルデータを開いてよい。これにより、ファイル閲覧変更禁止部３３４は、ファイルデータの内容の変更を禁止できる。なお、ファイル閲覧変更禁止部３３４は、ファイルデータを開かないことによりファイルデータの内容の変更を禁止してもよい。
【００７３】
また、ファイル閲覧変更禁止部３３４は、閲覧編集指示取得部３７０が取得した編集指示のうち、第２通信部３２０から受け取った編集可能内容に含まれない編集指示に基づくファイルデータの内容の変更を禁止する。具体的には、編集可能内容にファイルデータの内容の変更を許可する旨、およびファイルデータのコピーを許可する旨が含まれている場合には、ファイル閲覧変更禁止部３３４は、ファイルデータの内容の変更、およびファイルデータのコピーを除く編集内容を禁止する。例えば、ファイル閲覧変更禁止部３３４は、ファイルデータの印刷、および送信等を禁止する。また、ファイル閲覧変更禁止部３３４は、ユーザ判断部３６０からユーザ識別情報が同一でない旨を示す情報を受け取った場合には、ファイルデータの内容の閲覧または変更を禁止する。閲覧編集許否決定部３３０は、ファイル閲覧変更許可部３３２の許可内容、およびファイル閲覧変更禁止部３３４の禁止内容を閲覧編集制御部３５０に供給する。
【００７４】
また、ファイル閲覧変更禁止部３３４は、ファイル閲覧変更許可部３３２に代わり、第２通信部３２０が受信した閲覧可能回数に応じて、ファイルデータの内容の閲覧を禁止してもよい。具体的には、ファイル閲覧変更禁止部３３４は、第２通信部３２０によって受信したユーザ識別情報およびファイル識別子に対応する閲覧回数を閲覧回数格納部３３８から取得する。また、ファイル閲覧変更許可部３３２は、第２通信部３２０によって受信した閲覧編集情報から閲覧可能回数を取得する。ファイル閲覧変更許可部３３２は、ユーザ識別子およびファイル識別子に対応づけられた閲覧回数が、取得した閲覧可能回数を超えている場合に、閲覧編集制御部３５０に対してファイルデータの閲覧を禁止する。なお、ファイル閲覧変更禁止部３３４は、さらに装置識別子に対応づけられた閲覧回数が、取得した閲覧可能回数を超えている場合に、閲覧編集制御部３５０に対してファイルデータの閲覧を禁止してもよい。
【００７５】
また、ファイル閲覧変更禁止部３３４は、ファイル閲覧変更許可部３３２に代わり、第２通信部３２０が受信した閲覧可能期限に基づいて、ファイルデータの内容の閲覧を許可してもよい。具体的には、ファイル閲覧変更許可部３３２は、第２通信部３２０によって受信した閲覧可能期限と現在日時とを比較して、現在日時が閲覧可能期限を越えている場合に、閲覧編集制御部３５０に対してファイルデータの閲覧を禁止してもよい。
【００７６】
閲覧編集制御部３５０は、ファイル閲覧変更許可部３３２がファイルデータの内容の変更を許可した場合に、閲覧編集指示取得部３７０が取得した編集指示に基づいてファイルデータの内容を変更する。具体的には、閲覧編集制御部３５０は、ファイルデータ取得部３４０から受け取ったファイルデータに対して、閲覧編集指示取得部３７０から受け取った編集指示のうち、ファイル閲覧変更許可部３３２において許可された編集を施す。閲覧編集制御部３５０は、変更後のファイルデータを第２表示制御部３１０および第２通信制御部３８０に供給する。また、閲覧編集制御部３５０は、ファイル閲覧変更禁止部３３４からファイルデータの内容の変更を禁止する旨の情報を受け取っている場合には、閲覧編集指示取得部３７０から受け取った編集指示に基づいて、ファイルデータの内容を変更することを禁止する。そして、閲覧編集制御部３５０は、ファイルデータの内容を変更せずに、当該ファイルデータを第２表示制御部３１０に供給する。
【００７７】
また、閲覧編集制御部３５０は、ファイル閲覧変更許可部３３２によって許可された表示装置２２の表示能力に応じた編集をする。具体的には、閲覧編集制御部３５０は、閲覧編集指示取得部３７０から取得した編集指示が、表示装置２２の表示能力の範囲内における編集指示である場合には、ファイルデータに対して編集指示に基づく編集を施す。閲覧編集制御部３５０は、取得した編集指示が、表示装置２２の表示能力の範囲内における編集指示でない場合には、ファイルデータに対して編集指示に基づく編集を施さない。そして、閲覧編集制御部３５０は、編集が施された、または編集が施されないファイルデータを第２通信部３２０および第２表示制御部３１０に供給する。第２通信部３２０は、閲覧編集制御部３５０が抽出した閲覧可能部分を表示装置２２に送信して、第１表示部２００に表示させる。
【００７８】
なお、閲覧編集制御部３５０は、編集指示が表示装置２２の表示能力の範囲を超える場合に、第２表示制御部３１０を介して第２表示部３００に警告を表示させてもよい。また、閲覧編集制御部３５０は、第２表示制御部３１０に対して、表示装置２２の表示能力にあわせた表示をさせてもよい。具体的には、閲覧編集制御部３５０は、第２表示制御部３１０に、表示装置２２と同じ表示能力においてファイルデータを表示する制御をさせてもよい。また、閲覧編集制御部３５０は、表示装置２２の表示能力を超える編集をできないようにファイルデータを開いてもよい。例えば、閲覧編集制御部３５０は、表示装置２２の表示能力を超える編集ができる編集ソフトの編集指示ボタンを選択できない状態でファイルデータを開いてもよい。
【００７９】
また、閲覧編集制御部３５０は、ファイル閲覧変更許可部３３２が閲覧を許可した閲覧可能部分をファイルデータから抽出する。具体的には、閲覧編集制御部３５０は、ファイルデータ取得部３４０から受け取ったファイルデータの内容のうち、ファイル閲覧変更許可部３３２から指示された閲覧可能部分を抽出する。閲覧編集制御部３５０は、ファイルデータを第２表示制御部３１０に供給するとともに、ファイルデータから抽出した閲覧可能部分を第２通信制御部３８０に供給する。第２通信制御部３８０は、閲覧編集制御部３５０が抽出した閲覧可能部分を第２通信部３２０に供給する。第２通信部３２０は、閲覧編集制御部３５０が抽出した閲覧可能部分を表示装置２２に送信して、第１表示部２００に表示させる。
【００８０】
また、閲覧編集制御部３５０は、ファイル閲覧変更禁止部３３４が閲覧を禁止した閲覧可能部分以外の部分をファイルデータから抽出する。具体的には、閲覧編集制御部３５０は、ファイルデータ取得部３４０から受け取ったファイルデータの内容のうち、ファイル閲覧変更禁止部３３４から指示された閲覧可能部分以外の部分を抽出する。閲覧編集制御部３５０は、ファイルデータを第２表示制御部３１０に供給するとともに、ファイルデータから抽出した閲覧可能部分以外の部分を除いた部分を第２通信制御部３８０に供給する。第２通信制御部３８０は、閲覧編集制御部３５０が抽出した閲覧可能部分を第２通信部３２０に供給する。第２通信部３２０は、閲覧編集制御部３５０が抽出した閲覧可能部分を表示装置２２に送信して、第１表示部２００に表示させる。
【００８１】
なお、閲覧編集制御部３５０は、ファイル閲覧変更許可部３３２による閲覧可能部分の抽出指示またはファイル閲覧変更禁止部３３４による閲覧可能部分以外の抽出指示のどちらか一方を受信して、ファイルデータから閲覧可能部分を抽出してもよい。また、閲覧編集制御部３５０は、ファイルデータのうち閲覧可能部分について第２表示制御部３１０に供給してもよい。すなわち、第２表示部３００は、ファイルデータのうち閲覧可能部分について表示するとしてもよい。
【００８２】
また、閲覧編集制御部３５０は、ファイル閲覧変更許可部３３２またはファイル閲覧変更禁止部３３４から閲覧を許可されたファイルデータを開く、または禁止されたファイルデータを開かない動作をする。閲覧編集制御部３５０は、ファイルデータの閲覧が許可された場合、開いたファイルデータを第２表示制御部３１０および第２通信制御部３８０に供給する。また、閲覧編集制御部３５０は、ファイルデータの閲覧が禁止された場合、少なくとも第２通信制御部３８０へファイルデータを供給しない。もちろん、閲覧編集制御部３５０は、第２表示制御部３１０に対してもファイルデータを供給せず、第２表示部３００にファイルデータを表示させなくともよい。
【００８３】
第２表示制御部３１０は、閲覧編集制御部３５０から受け取ったファイルデータを第２表示部３００に表示させる。第２表示部３００は、第２表示制御部３１０の制御に基づいて、ファイルデータを表示する。第２通信制御部３８０は、閲覧編集制御部３５０から受け取った、変更後のファイルデータの内容を第２通信部３２０から表示装置２２に送信させる。なお、第２通信制御部３８０は、ファイルデータの内容のうち、ユーザによって変更された部分のファイルデータの内容だけ（すなわち、差分データ）を第２通信部３２０に送信させてもよい。表示装置２２が有する第１通信部２２０は、第２通信部３２０から受け取った変更後のファイルデータの内容を第１表示制御部２１０に供給する。そして、第１表示制御部２１０は、第１表示部２００が表示しているファイルデータを、第１通信部２２０から受け取った変更後のファイルデータの内容に更新する。
【００８４】
本実施形態に係る表示システム１０によれば、所定のファイルデータを表示している表示装置２２から、表示しているファイルデータの内容の変更の可否を示す情報を情報処理装置３０に送信する。そして、情報処理装置３０において、ファイルデータの内容の変更を許可または禁止して、ファイルデータを表示することができる。これにより、表示システム１０は、ファイルデータの内容の変更について制限できるので、ファイルデータのセキュリティを向上させることができる。
【００８５】
また、本実施形態に係る表示システム１０によれば、編集可能ソフトでファイルデータを開いてファイルデータの編集ができる一方で、編集不可ソフトでファイルデータを開いてファイルデータの編集を禁止できるので、ファイルデータの編集の可否を、情報処理装置３０で起動するアプリケーションソフトで制御できる。
【００８６】
また、本実施形態に係る表示システム１０によれば、ファイルデータに対応づけて、当該ファイルデータに対して許可されている編集内容を対応づけることができるので、情報処理装置３０において、デフォルト状態においてはファイルデータの内容を変更できるアプリケーションソフトでファイルデータを開く場合であっても、アプリケーションソフトのファイルデータの内容を変更する機能を禁止させた状態でファイルデータを開くことができる。これにより、ファイルデータの内容の変更についてきめ細かい制限を施すことができる。
【００８７】
また、本実施形態に係る表示システム１０によれば、表示装置２２に格納されているユーザ識別情報が示すユーザと、情報処理装置３０が取得したユーザ識別情報が示すユーザとが同一の場合に、ファイルデータの内容の変更を許可することができる。これにより、表示装置２２に表示されているファイルデータの内容の変更を実際に許可されているユーザを除く人物が、ファイルデータの内容に変更を加えることを禁止できるので、ファイルデータの内容の改変についてのセキュリティを強化することができる。
【００８８】
また、本実施形態に係る表示システム１０によれば、複数のユーザごとにファイルデータに対して施すことができる編集内容を対応づけることができるので、所定のユーザにはファイルデータの内容の変更を許可する一方で、その他のユーザにはファイルデータの内容の変更を禁止できる。これにより、ファイルデータのセキュリティの向上を図ると共に、ユーザの利便性を向上させることができる。
【００８９】
また、本実施形態に係る表示システム１０によれば、複数のユーザごとに閲覧可能部分を設定でき、閲覧可能回数および閲覧可能期限を設定できるので、ユーザの閲覧可能レベルを超えるファイルデータの提供を防止できる。これにより、ファイルデータのセキュリティを向上できるとともに、ユーザの利便性を向上させることができる。
【００９０】
また、本実施形態に係る表示システム１０によれば、表示装置２２の表示能力の範囲においてファイルデータを編集できるので、表示装置２２の表示能力に沿った、弾力的な編集をすることができる。
【００９１】
図４は、本実施形態に係る格納ユニット２３０のデータ構造の一例を示す。格納ユニット２３０が有するユーザ識別情報格納部２３２は、ユーザを一意に識別できるユーザ識別情報を格納する。また、ファイル識別子格納部２３４は、ファイルデータを一意に識別できるファイル識別子を格納する。さらに、閲覧編集情報格納部２３６は、編集可能ソフトまたは編集不可ソフトの種類を格納する。格納ユニット２３０は、ユーザ識別情報格納部２３２が格納しているユーザ識別情報に、ファイル識別子および閲覧編集情報を対応づけてよい。具体的には、格納ユニット２３０は、ユーザ識別情報に対応づけて、当該ユーザ識別情報で識別されるユーザが扱うことのできるファイルデータのファイル識別子を格納する。また、ユーザ識別情報で識別されるユーザが、ファイル識別子で識別されるファイルデータを情報処理装置３０で開くときのアプリケーションソフトの種類を、ユーザ識別情報およびファイル識別子に対応づけて格納する。
【００９２】
例えば、所定のユーザを識別するユーザ識別情報２０００にファイル識別子４０００が対応づけられており、ユーザ識別情報２０００およびファイル識別子４０００に対応づけて編集可能ソフト（例えば、ワープロソフト３０００）が閲覧編集情報として対応づけられている場合を考える。まず、表示装置２２は、ユーザ識別情報２０００、ファイル識別子４０００、および閲覧編集情報に含まれる編集可能ソフトの種類（ワープロソフト３０００）を情報処理装置３０に送信する。情報処理装置３０は、ユーザ判断部３６０において、ユーザ識別情報取得部３７２が取得したユーザ識別情報と表示装置２２から受信したユーザ識別情報２０００とが同一の場合に、ユーザ識別情報２０００およびファイル識別子４０００に対応づけられている閲覧編集情報に含まれる編集可能ソフトの種類、すなわち、ワープロソフト３０００を用いてファイル識別子４０００で識別されるファイルデータを開く。これにより、情報処理装置３０は、ユーザ識別情報２０００で識別されるユーザに対してファイルデータの内容の変更を許可できる。
【００９３】
一方、ユーザ識別情報２０００およびファイル識別子４０１０には、閲覧編集情報に含まれる編集不可ソフトの種類として、閲覧ソフト３０１０が対応づけられている。係る場合においては、表示装置２２は、ユーザ識別情報２０００、ファイル識別子４０１０、および閲覧編集情報に含まれる編集不可ソフトの種類（閲覧ソフト３０１０）を情報処理装置３０に送信する。情報処理装置３０は、ユーザ判断部３６０において、ユーザ識別情報取得部３７２が取得したユーザ識別情報と表示装置２２から受信したユーザ識別情報２０００とが同一の場合に、ユーザ識別情報２０００およびファイル識別子４０００に対応づけられている閲覧編集情報に含まれる編集不可ソフトの種類、すなわち、閲覧ソフト３０１０を用いてファイル識別子４０１０で識別されるファイルデータを開く。これにより、情報処理装置３０は、ユーザ識別情報２０００で識別されるユーザに対してファイルデータの内容の変更を禁止できる。
【００９４】
なお、情報処理装置３０は、ユーザ判断部３６０において、ユーザ識別情報取得部３７２が取得したユーザ識別情報と表示装置２２から受信したユーザ識別情報２０００とが同一でない場合には、ファイル識別子４０１０で識別されるファイルデータを開かずに、ファイルデータを表示できない旨を第２表示部３００に表示してもよい。例えば、ユーザ判断部３６０においてユーザ識別情報が同一でないと判断された場合には、閲覧編集許否決定部３３０は、ファイルデータの内容の変更を禁止した上で、閲覧編集制御部３５０にその旨を示す情報を供給する。そして、閲覧編集制御部３５０は、閲覧編集指示取得部３７０から受け取った編集指示を全て無効にする。続いて、閲覧編集制御部３５０は、第２表示制御部３１０に働きかけて、第２表示部３００に、ファイルデータを表示できない旨（例えば、「ファイルデータを表示できません。」等の文字列情報）を表示させてよい。
【００９５】
図５は、本実施形態に係る格納ユニット２３０のデータ構造の一例を示す。格納ユニット２３０が有するユーザ識別情報格納部２３２は、ユーザ識別情報を格納する。また、ファイル識別子格納部２３４は、ファイル識別子を格納する。さらに、閲覧編集情報格納部２３６は、ファイルデータに対して許可または禁止されている編集内容を格納する。格納ユニット２３０は、ユーザ識別情報格納部２３２が格納しているユーザ識別情報に、ファイル識別子および閲覧編集情報を対応づけてよい。具体的には、格納ユニット２３０は、ユーザ識別情報に対応づけて、当該ユーザ識別情報で識別されるユーザが扱うことのできるファイルデータのファイル識別子を格納する。そして、ユーザ識別情報で識別されるユーザが、ファイル識別子で識別されるファイルデータに対して施すことが許可または禁止されている編集内容を示す閲覧編集情報を格納する。
【００９６】
例えば、所定のユーザを識別するユーザ識別情報２０００に、ファイル識別子４０００が対応づけられている場合を考える。この場合においては、ユーザ識別情報２０００およびファイル識別子４０００に対応づけて、ファイル識別子４０００に対して許可されている編集内容（例えば、ファイルデータの閲覧および保存が許可されており、ファイルデータの印刷が禁止されている旨を示す編集内容）が対応づけられている。まず、表示装置２２は、ユーザ識別情報２０００、ファイル識別子４０００、および閲覧編集情報に含まれる編集内容を情報処理装置３０に送信する。情報処理装置３０が有する閲覧編集許否決定部３３０は、ユーザ判断部３６０においてユーザ識別情報取得部３７２が取得したユーザ識別情報と表示装置２２から受信したユーザ識別情報２０００とが同一と判断された場合に、閲覧編集指示取得部３７０が取得した編集指示のうち、ユーザ識別情報２０００およびファイル識別子４０００に対応づけられている編集内容において許可されている編集内容だけを許可する。
【００９７】
例えば、ユーザ識別情報取得部３７２が取得したユーザ識別情報と、ユーザ識別情報２０００とが同一であるとユーザ判断部３６０が判断した場合には、ファイル閲覧変更許可部３３２は、ファイル識別子４０００で識別されるファイルデータに対して、ファイルデータの閲覧および保存を許可する。そして、閲覧編集制御部３５０はファイル閲覧変更許可部３３２の許可を受けて、閲覧編集指示取得部３７０から受け取ったユーザの編集指示内容をファイルデータの内容に反映する。一方、ファイル閲覧変更禁止部３３４は、ファイル識別子４０００で識別されるファイルデータに対して、ファイルデータの印刷を禁止する。そして、閲覧編集制御部３５０はファイル閲覧変更禁止部３３４の禁止結果を受けて、閲覧編集指示取得部３７０から受け取ったユーザの編集指示のうち、ファイルデータの印刷を禁止する。
【００９８】
また、ユーザ識別情報２０００およびファイル識別子４０１０に対応づけられている閲覧編集情報は、ファイルデータの閲覧、保存、および印刷の全てが許可されている旨を示す。この場合に、ユーザ識別情報取得部３７２が取得したユーザ識別情報と、ユーザ識別情報２０００とが同一であるとユーザ判断部３６０が判断した場合には、ファイル閲覧変更許可部３３２は、ファイル識別子４０００で識別されるファイルデータに対して、ファイルデータの閲覧、保存、および印刷を許可する。
【００９９】
同様にして、ユーザ識別情報取得部３７２が取得したユーザ識別情報と、ユーザ識別情報２０１０とが同一であるとユーザ判断部３６０が判断した場合には、ファイル閲覧変更許可部３３２は、ファイル識別子４０００で識別されるファイルデータに対して、ファイルデータの閲覧だけを許可する。そして、ファイル閲覧変更禁止部３３４は、ファイルデータの保存および印刷を禁止する。また、ユーザ識別情報２０１０およびファイル識別子４０１０に対応づけられている閲覧編集情報は、ファイルデータの閲覧、保存、および印刷の全てが禁止されている旨を示す。この場合に、ユーザ識別情報取得部３７２が取得したユーザ識別情報と、ユーザ識別情報２０１０とが同一であるとユーザ判断部３６０が判断した場合には、ファイル閲覧変更禁止部３３４は、ファイル識別子４０１０で識別されるファイルデータに対して、ファイルデータの閲覧、保存、および印刷を禁止する。
【０１００】
図６は、本実施形態に係る表示能力格納部３３６のデータ構造の一例を示す。表示能力格納部３３６は、複数の装置識別子に対応するそれぞれの表示能力を格納する。表示能力格納部３３６は、表示能力として、例えば、解像度、カラーもしくは白黒表示、画面サイズを格納する。
【０１０１】
図７は、本実施形態に係る表示システム１０の表示の一例を示す。表示装置２２には所定のファイルデータが表示されている。ここで、表示装置２２に表示されているファイルデータのうち、ファイルデータの内容の変更が禁止されている部分として、編集不可部分５００が設定されている場合を考える。まず、表示装置２２が有する閲覧編集情報格納部２３６は、ファイル識別子で識別されるファイルデータのうち、ファイルデータの内容の変更が許可されている部分である編集可能部分を閲覧編集情報として格納する。編集可能部分は、ファイルデータが文書データの場合には、所定のページの一部分、および複数ページのうちの所定のページであってよい。また、編集可能部分は、ファイルデータが画像データの場合には、画像データに含まれる所定の領域であってよい。さらに、複数の編集可能部分が、ファイルデータに対して設定されていてもよい。
【０１０２】
表示装置２２が有する第１通信部２２０は、ファイル識別子に対応づけて編集可能部分を含む閲覧編集情報を情報処理装置３０が有する第２通信部３２０に送信する。第２通信部３２０は、受信したファイル識別子をファイルデータ取得部３４０に供給する。また、第２通信部３２０は、閲覧編集情報を閲覧編集許否決定部３３０に供給する。閲覧編集許否決定部３３０が有するファイル閲覧変更許可部３３２は、閲覧編集指示取得部３７０が取得したユーザの編集指示に基づいて、第２通信部が受信した編集可能部分のファイルデータの内容の変更を許可する。一方、ファイル閲覧変更禁止部３３４は、閲覧編集指示取得部３７０が取得したユーザの編集指示に基づいて、編集可能部分以外の部分のファイルデータの内容の変更を禁止する。閲覧編集許否決定部３３０は、ファイル閲覧変更許可部３３２が許可した編集内容、およびファイル閲覧変更禁止部３３４が編集可能部分以外の部分のファイルデータの内容の変更を禁止した旨の情報を、閲覧編集制御部３５０に供給する。
【０１０３】
閲覧編集制御部３５０は、閲覧編集指示取得部３７０から受け取った編集指示が、ファイルデータの編集可能部分５０４に対する編集指示であった場合には、当該編集指示を受け付ける。一方、閲覧編集制御部３５０は、閲覧編集指示取得部３７０から受け取った編集指示が、ファイルデータの編集可能部分５０４以外の部分に対する編集指示であった場合には、当該編集指示を受け付けない。また、閲覧編集制御部３５０は、閲覧編集許否決定部３３０から編集可能部分５０４を示す情報を受け取り、編集ができない部分である編集不可部分５００に対して網掛け５０２を表示させるべく、第２表示制御部３１０に指示してもよい。これにより、ユーザは、ファイルデータの内容のうち、変更が禁止されている部分をひと目で把握できる。
【０１０４】
本実施形態に係る表示システム１０によれば、ファイルデータの内容のうち、編集を施してもよい部分を予め定めておくことができる。また、ファイルデータの内容のうち、編集が禁止されている部分を明確に表示できる。これにより、ファイルデータのセキュリティの向上を図ると共に、ユーザの利便性を向上させることができる。
【０１０５】
図８は、本実施形態に係る表示システム１０における処理の流れの一例を示す。まず、表示装置２２は、受電部２４０が給電装置４０から電力を受電するまで待機する（Ｓ１０００：Ｎｏ）。受電部２４０が電力を受電した場合には（Ｓ１０００：Ｙｅｓ）、第１通信部２２０は、受電部２４０が受電した電力を用いて、ファイル識別子格納部２３４および閲覧編集情報格納部２３６に働きかけて、ファイル識別子格納部２３４が格納しているファイル識別子および閲覧編集情報格納部２３６が格納している閲覧編集情報を取得する。そして、第１通信部２２０は、取得したファイル識別子および閲覧編集情報を情報処理装置３０に送信する（Ｓ１０１０）。
【０１０６】
情報処理装置３０はファイル識別子を第２通信部３２０において受信する。そして、ファイルデータ取得部３４０は、第２通信部３２０が受信したファイル識別子で識別されるファイルデータをファイルデータ格納部３９０から取得する（Ｓ１０２０）。ファイルデータ取得部３４０は、取得したファイルデータを閲覧編集制御部３５０に供給する。また、閲覧編集許否決定部３３０は、第２通信部３２０が受信した閲覧編集情報を参照する（Ｓ１０３０）。そして、閲覧編集許否決定部３３０は、ファイルデータ取得部３４０が取得したファイルデータの内容の変更が許可されているか否かを、参照した閲覧編集情報から決定する（Ｓ１０４０）。
【０１０７】
ファイル閲覧変更許可部３３２は、ファイルデータの内容の変更が許可されている場合に、ファイルデータの内容を変更することを許可する。そして、閲覧編集制御部３５０は、閲覧編集指示取得部３７０から受け取った編集指示に基づいて、ファイルデータの内容に変更を施す（Ｓ１０５０）。閲覧編集制御部３５０は、内容を変更した後の変更後のファイルデータを第２通信制御部３８０および第２表示制御部３１０に供給する。第２通信制御部３８０は、第２通信部３２０に変更後のファイルデータを表示装置２２に送信させる（Ｓ１０６０）。表示装置２２は、第１表示部２００が表示しているファイルデータを、情報処理装置３０から受け取った変更後のファイルデータに更新して、第１表示部２００に表示する（Ｓ１０７０）。
【０１０８】
一方、ファイル閲覧変更禁止部３３４は、ファイルデータの内容の変更が禁止されている場合に、ファイルデータの内容を変更することを禁止する。そして、閲覧編集制御部３５０は、ファイル閲覧変更禁止部３３４の禁止結果に応じて、閲覧編集指示取得部３７０から受け取った編集指示をファイルデータの内容に反映させないことにより、ファイルデータの内容の変更を禁止する（Ｓ１０５５）。閲覧編集制御部３５０は、ファイルデータの内容の変更を第２表示制御部３１０に供給する。第２表示制御部３１０は、閲覧編集制御部３５０から受け取った、変更後のファイルデータ、または変更が施されていないファイルデータを第２表示部３００に表示する（Ｓ１０８０）。
【０１０９】
図９は、本実施形態に係る表示システムの他の例の概要を示す。表示システムは、複数の表示装置２８、複数の情報処理装置３５、およびサーバ６０を備える。複数の表示装置２８は、それぞれ対応する情報処理装置３５と通信する。また、複数の情報処理装置３５は、サーバ６０と電気通信回線を介して接続されている。
【０１１０】
なお、本例における表示システムにおいて、表示装置２８は、図３を用いて説明した情報処理装置３０が有する表示能力格納部３３６と略同一の機能構成を格納ユニットに含んでもよい。また、表示装置２８は、図２を用いて説明した表示装置２２の機能構成と略同一の機能構成を有してもよい。
【０１１１】
図１０は、本実施形態に係るサーバ６０の機能構成を示す。サーバ６０は、閲覧編集情報格納部６１０、ファイルデータ格納部６２０、閲覧回数格納部６３０、閲覧期限格納部６４０、ファイルデータ取得制御部６５０、および第３通信部６６０を有する。なお、閲覧編集情報格納部６１０、ファイルデータ格納部６２０、閲覧回数格納部６３０、および閲覧期限格納部６４０のうちの少なくとも１つを情報処理装置３５が有していてもよい。
【０１１２】
なお、本例におけるサーバ６０が有する閲覧編集情報格納部６１０は、表示装置２２が有する閲覧編集情報格納部２３６が有する閲覧編集情報のうち、閲覧可能回数以外の情報を格納する。また、サーバ６０が有するファイルデータ格納部６２０および閲覧回数格納部６３０は、情報処理装置３０が有するファイルデータ格納部３９０および閲覧回数格納部３３８と略同一の情報を格納している。
【０１１３】
閲覧編集情報格納部６１０は、ファイルデータを識別するファイル識別子に対応づけて、当該ファイルデータに対して許可されている閲覧内容または編集内容を示す閲覧編集情報を格納する。また、閲覧期限格納部６４０は、ファイルデータを識別するファイルデータ識別子およびユーザ識別子に対応づけて、ファイルデータを閲覧する閲覧期限を格納する。
【０１１４】
ファイルデータ取得制御部６５０は、ファイル識別子、ユーザ識別子、装置識別子、および閲覧可能回数に基づいて、情報処理装置３５にファイルデータを取得させるか否かを制御する。具体的には、ファイルデータ取得制御部６５０は、取得したファイル識別子の閲覧可能回数に対応する、ファイルデータの閲覧回数を閲覧回数格納部６３０から取得する。また、ファイルデータ取得制御部６５０は、閲覧可能回数と閲覧回数とを比較して、対応するファイルデータを情報処理装置３５に取得させるか否かを判断する。さらに、ファイルデータ取得制御部６５０は、閲覧期限格納部６４０にファイル識別子と対応づけて格納された閲覧期限と現在日時とを比較して、対応するファイルデータを情報処理装置３５に取得させるか否かを判断する。ファイルデータ取得制御部６５０は、閲覧可能回数を超えていない場合または閲覧期限を越えていない場合、情報処理装置３５にファイルデータを取得させる。
【０１１５】
ファイルデータ取得制御部６５０は、情報処理装置３５にファイルデータを取得させると判断した場合に、ファイル識別子に基づいて、ファイルデータをファイルデータ格納部６２０から取得する。また、ファイルデータ取得制御部６５０は、ファイルデータ識別子に対応する、ファイルデータについての編集可能ソフトの種類、編集不可ソフトの種類、ユーザ識別情報に対応する編集可能ソフトまたは編集不可ソフトの種類、編集可能内容、ユーザ識別情報に対応する編集可能内容、編集可能部分、および閲覧可能部分のうち少なくとも１つを閲覧編集情報として取得する。ファイルデータ取得制御部６５０は、第３通信部６６０を介して、取得したファイルデータおよび閲覧編集情報を情報処理装置３５に取得させる。
【０１１６】
第３通信部６６０は、情報処理装置３５の第２通信部７２０から送信されたファイル識別子、ユーザ識別子、装置識別子、閲覧可能回数をファイルデータ取得制御部６５０に供給する。また、第３通信部６６０は、ファイルデータ取得制御部６５０から取得したファイルデータおよび閲覧編集情報を情報処理装置３５の第２通信部へと送信する。
【０１１７】
図１１は、本実施形態に係る情報処理装置３５の機能構成を示す。情報処理装置３５は、第２表示部７００、第２表示制御部７１０、第２通信部７２０、閲覧編集許否決定部７３０、ファイルデータ取得部７４０、閲覧編集制御部７５０、ユーザ判断部７６０、閲覧編集指示取得部７７０、ユーザ識別情報取得部７７２、情報入力部７７４および第２通信制御部７８０を有する。また、閲覧編集許否決定部７３０は、ファイル閲覧変更許可部７３２およびファイル閲覧変更禁止部７３４を含む。
【０１１８】
なお、第２表示部７００、第２表示制御部７１０、閲覧編集許否決定部７３０、ファイル閲覧変更許可部７３２、ファイル閲覧変更禁止部７３４、閲覧編集制御部７５０、ユーザ判断部７６０、閲覧編集指示取得部７７０、ユーザ識別情報取得部７７２、情報入力部７７４および第２通信制御部７８０のそれぞれは、図２を用いて説明した表示装置２２の第２表示制御部３１０、閲覧編集許否決定部３３０、ファイル閲覧変更許可部３３２、ファイル閲覧変更禁止部３３４、閲覧編集制御部３５０、ユーザ判断部３６０、閲覧編集指示取得部３７０、ユーザ識別情報取得部３７２、情報入力部３７４および第２通信制御部３８０と略同一の機能を有する。
【０１１９】
第２通信部７２０は、表示装置２８から少なくともファイル識別子を受信する。なお、第２通信部７２０は、さらに表示装置２８からユーザ識別子、装置識別子、閲覧可能回数、または表示能力を受信してもよい。第２通信部７２０は、受信したファイル識別子、ユーザ識別子、装置識別子、閲覧可能回数および表示能力をファイルデータ取得部７４０に供給する。また、第２通信部７２０は、ファイルデータ取得部７４０からのファイルデータを取得する要求に基づいて、サーバ６０にファイル識別子、ユーザ識別子、装置識別子および閲覧可能回数をサーバ６０に送信する。また、第２通信部７２０は、サーバ６０からファイルデータおよび閲覧編集情報を受信して、ファイルデータ取得部７４０へ供給する。また、第２通信部７２０は、第２通信制御部７８０からの制御に基づいて、表示装置２８にファイルデータを送信する。
【０１２０】
ファイルデータ取得部７４０は、第２通信部７２０から供給された、ファイル識別子、ユーザ識別子、装置識別子および閲覧可能回数に基づいて、第２通信部７２０を介してサーバ６０にファイルデータの取得を要求する。また、ファイルデータ取得部７４０は、第２通信部７２０を介して取得したファイルデータを閲覧編集制御部７５０に供給する。また、ファイルデータ取得部７４０は、第２通信部７２０を介して取得した表示能力および閲覧編集情報を閲覧編集許否決定部７３０に供給する。
【０１２１】
なお、第２通信部７２０は、ユーザ判断部７６０によってユーザが同一か否かを判断された結果をサーバ６０に送信してもよい。サーバ６０は、判断された結果に基づいて、ユーザが同一でない場合には、ファイルデータを情報処理装置３５に送信しなくともよい。
【０１２２】
図１２は、本実施形態に係るコンピュータシステムのハードウェア構成の一例を示す。本実施形態に係るコンピュータシステムは、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【０１２３】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１２４】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータシステム内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【０１２５】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、コンピュータシステムが起動時に実行するブート・プログラム、コンピュータシステムのハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【０１２６】
ＲＡＭ１５２０を介してハードディスクドライブ１５４０に提供される表示プログラムは、フレキシブルディスク１５９０、ＣＤ−ＲＯＭ１５９５、またはＩＣカード等の記録媒体に格納されて利用者によって提供される。表示プログラムは、記録媒体から読み出され、ＲＡＭ１５２０を介してコンピュータシステム内のハードディスクドライブ１５４０にインストールされ、ＣＰＵ１５０５において実行される。
【０１２７】
コンピュータシステムにインストールされて実行される表示プログラムは、ＣＰＵ１５０５等に働きかけて、図１から図８で説明した表示装置２２としてのコンピュータシステムを、図１から図８にかけて説明した第１表示部２００、第１表示制御部２１０、第１通信部２２０、ファイルデータ通信部２２２、閲覧編集情報通信部２２４、格納ユニット２３０、ユーザ識別情報格納部２３２、ファイル識別子格納部２３４、閲覧編集情報格納部２３６、装置識別子格納部２３８、受電部２４０、給電部４００、および給電制御部４１０として機能させる。
【０１２８】
また、コンピュータシステムにインストールされて実行される表示プログラムは、ＣＰＵ１５０５等に働きかけて、図１から図８で説明した情報処理装置３０としてのコンピュータシステムを、図１から図８にかけて説明した第２表示部３００、第２表示制御部３１０、第２通信部３２０、閲覧編集許否決定部３３０、ファイル閲覧変更許可部３３２、ファイル閲覧変更禁止部３３４、表示能力格納部３３６、閲覧回数格納部３３８、ファイルデータ取得部３４０、閲覧編集制御部３５０、ユーザ判断部３６０、閲覧編集指示取得部３７０、ユーザ識別情報取得部３７２、情報入力部３７４、第２通信制御部３８０、およびファイルデータ格納部３９０として機能させる。
【０１２９】
また、コンピュータシステムにインストールされて実行される表示プログラムは、ＣＰＵ１５０５等に働きかけて、図９から図１１で説明した情報処理装置３５としてのコンピュータシステムを、図９から図１１にかけて説明した第２表示部７００、第２表示制御部７１０、第２通信部７２０、閲覧編集許否決定部７３０、ファイル閲覧変更許可部７３２、ファイル閲覧変更禁止部７３４、ファイルデータ取得部７４０、閲覧編集制御部７５０、ユーザ判断部７６０、閲覧編集指示取得部７７０、ユーザ識別情報取得部７７２、情報入力部７７４、および第２通信制御部７８０として機能させる。
【０１３０】
また、コンピュータシステムにインストールされて実行される表示プログラムは、ＣＰＵ１５０５等に働きかけて、図９から図１１で説明したサーバ６０としてのコンピュータシステムを、図９から図１１にかけて説明した閲覧編集情報格納部６１０、ファイルデータ格納部６２０、閲覧回数格納部６３０、閲覧期限格納部６４０、ファイルデータ取得制御部６５０、および第３通信制御部として機能させる。
【０１３１】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【０１３２】
【図１】表示システム１０の概要図である。
【図２】表示装置２２および給電装置４０の機能構成を示すブロック図である。
【図３】情報処理装置３０の機能構成を示すブロック図である。
【図４】格納ユニット２３０のデータ構造を示す図である。
【図５】格納ユニット２３０のデータ構造を示す図である。
【図６】表示能力格納部３３６のデータ構造を示す図である。
【図７】表示システム１０の表示の例を示す図である。
【図８】表示システム１０の処理の流れを示すフロー図である。
【図９】表示システムの他の例の概要図である。
【図１０】サーバ６０の機能構成を示すブロック図である。
【図１１】情報処理装置３５の機能構成を示すブロック図である。
【図１２】コンピュータシステムのハードウェア構成を示すブロック図である。
【符号の説明】
【０１３３】
１０  表示システム
２２、２４、２６、２８  表示装置
３０、３５  情報処理装置
４０  給電装置
５０  テーブル
５２  本棚
６０  サーバ
２００  第１表示部
２１０  第１表示制御部
２２０  第１通信部
２２２  ファイルデータ通信部
２２４  閲覧編集情報通信部
２３０  格納ユニット
２３２  ユーザ識別情報格納部
２３４  ファイル識別子格納部
２３６  閲覧編集情報格納部
２３８  装置識別子格納部
２４０  受電部
３００、７００  第２表示部
３０２  モニタ
３１０、７１０  第２表示制御部
３２０、７２０  第２通信部
３２２  アンテナ
３３０、７３０  閲覧編集許否決定部
３３２、７３２  ファイル閲覧変更許可部
３３４、７３４  ファイル閲覧変更禁止部
３３６  表示能力格納部
３３８  閲覧回数格納部
３４０、７４０  ファイルデータ取得部
３５０、７５０  閲覧編集制御部
３６０、７６０  ユーザ判断部
３７０、７７０  閲覧編集指示取得部
３７２、７７２  ユーザ識別情報取得部
３７４、７７４  情報入力部
３７６  キーボード
３７８  マウス
３８０、７８０  第２通信制御部
３９０  ファイルデータ格納部
４００  給電部
４１０  給電制御部
５００  編集不可部分
５０２  網掛け
５０４  編集可能部分
６１０  閲覧編集情報格納部
６２０  ファイルデータ格納部
６３０  閲覧回数格納部
６４０  閲覧期限格納部
６５０  ファイルデータ取得制御部
６６０  第３通信部
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
２０００、２０１０、２０２０  ユーザ識別情報
３０００  ワープロソフト
３０１０  閲覧ソフト
４０００、４０１０  ファイル識別子
【図１】
2008084292.tif 000003
【図２】
2008084292.tif 000004
【図３】
2008084292.tif 000005
【図４】
2008084292.tif 000006
【図５】
2008084292.tif 000007
【図６】
2008084292.tif 000008
【図７】
2008084292.tif 000009
【図８】
2008084292.tif 000010
【図９】
2008084292.tif 000011
【図１０】
2008084292.tif 000012
【図１１】
2008084292.tif 000013
【図１２】
2008084292.tif 000014